(57)【要約】      （修正有）【課題】施術に応じた適切な保険計算ができるように、施術量に従量する保険点数計算システム及び施術量に従量する保険点数計算方法を提供する。【解決手段】施術量従量制保険点数計算システムは、保険の対象となる医療行為に利用される施術装置の施術に利用する施術部を利用した施術の施術時間、施術に要する又は要した資材の量、施術の質、施術履歴のいずれか一以上である施術量を取得する施術量取得部と、施術量を保険点数に変換するルールである第一変換ルールを保持する第一変換ルール保持部と、取得した施術量と、保持されている第一変換ルールとに基づいて保険点数を取得する第一保険点数取得部と、取得した保険点数を出力する第一保険点数出力部と、を有する保険点数計算装置を有する。【選択図】図２
2019144635.tif 000002
【特許請求の範囲】
【請求項１】
保険の対象となる医療行為に利用される施術装置の施術に利用する施術部を利用した施術の施術時間、施術に要する又は要した資材の量、施術の質、施術履歴のいずれか一以上である施術量を取得する施術量取得部と、
施術量を保険点数に変換するルールである第一変換ルールを保持する第一変換ルール保持部と、
取得した施術量と、保持されている第一変換ルールとに基づいて保険点数を取得する第一保険点数取得部と、
取得した保険点数を出力する第一保険点数出力部と、
を有する保険点数計算装置を有する施術量従量制保険点数計算システム。
【請求項２】
前記保険点数計算装置は、
保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有する請求項１に記載の施術量従量制保険点数計算システム。
【請求項３】
施術部と、
施術部を利用した施術の施術時間、施術に要する又は要した資材の量、施術の質、施術履歴のいずれか一以上である施術量を送信する送信部と、
を有する施術装置をさらに有する請求項２に記載の施術量従量制保険点数計算システム。
【請求項４】
前記施術装置は、
施術部を利用した施術の施術時間、施術に要した資材の量、施術の質、施術履歴のいずれか一以上である施術量を入力する施術量入力部と、
入力に応じて施術部を制御する制御部と、
施術終了後に入力された施術量を送信部に出力する施術量出力部と、
をさらに有する請求項３に記載の施術量従量制保険点数計算システム。
【請求項５】
前記施術装置は、
施術部を利用した施術の終了を示す情報である施術終了情報を施術者に入力させるための施術終了情報入力部を有し、
施術量出力部は、施術終了情報の入力後に前記出力をする請求項４に記載の施術量従量制保険点数計算システム。
【請求項６】
施術種を取得する施術種取得部と、
保険の対象となる医療行為に利用される施術装置の施術に利用する施術部を利用した施術の施術時間、施術に要する又は要した資材の量、施術の質、施術履歴のいずれか一以上である施術量を取得する施術量取得部と、
施術種及び施術量を保険点数に変換するルールである第二変換ルールを保持する第二変換ルール保持部と、
取得した施術量と、取得した施術種と、保持されている第二変換ルールとに基づいて保険点数を取得する第二保険点数取得部と、
取得した保険点数を出力する第二保険点数出力部と、
を有する保険点数計算装置を有する施術量従量制保険点数計算システム。
【請求項７】
前記保険点数計算装置は、
保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有する請求項６に記載の施術量従量制保険点数計算システム。
【請求項８】
施術部と、
施術部を利用した施術の施術時間、施術に要する又は要した資材の量、施術の質、施術履歴のいずれか一以上である施術量を送信する送信部と、
を有する施術装置をさらに有する請求項７に記載の施術量従量制保険点数計算システム。
【請求項９】
前記施術装置は、
施術部を利用した施術の施術時間、施術に要する又は要した資材の量、施術の質、施術履歴のいずれか一以上である施術量を入力する施術量入力部と、
入力に応じて施術部を制御する制御部と、
施術終了後に入力された施術量を送信部に出力する施術量出力部と、
をさらに有する請求項８に記載の施術量従量制保険点数計算システム。
【請求項１０】
前記施術装置は、
施術部を利用した施術の終了を示す情報である施術終了情報を施術者に入力させるための施術終了情報入力部を有し、
施術量出力部は、施術終了情報の入力後に前記出力をする請求項９に記載の施術量従量制保険点数計算システム。
【請求項１１】
保険の種類又は／及び属性の情報である保険属性情報の入力を受け付ける保険属性情報取得部と、
施術種を取得する施術種取得部と、
保険の対象となる医療行為に利用される施術装置の施術に利用する施術部を利用した施術の施術時間、施術に要する又は要した資材の量、施術の質、施術履歴のいずれか一以上である施術量を取得する施術量取得部と、
保険属性情報、施術種、及び施術量を保険点数に変換するルールである第三変換ルールを保持する第三変換ルール保持部と、
取得した保険属性情報、施術量と及び、施術種と、保持されている第三変換ルールとに基づいて保険点数を取得する第三保険点数取得部と、
取得した保険点数を出力する第三保険点数出力部と、
を有する保険点数計算装置を有する施術量従量制保険点数計算システム。
【請求項１２】
前記保険点数計算装置は、
保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有する請求項１１に記載の施術量従量制保険点数計算システム。
【請求項１３】
施術部と、
施術部を利用した施術の施術時間、施術に要する又は要した資材の量、施術の質、施術履歴のいずれか一以上である施術量を送信する送信部と、
を有する施術装置をさらに有する請求項１２に記載の施術量従量制保険点数計算システム。
【請求項１４】
前記施術装置は、
施術部を利用した施術の施術時間、施術に要する又は要した資材の量、施術の質、施術履歴のいずれか一以上である施術量を入力する施術量入力部と、
入力に応じて施術部を制御する制御部と、
施術終了後に入力された施術量を送信部に出力する施術量出力部と、
をさらに有する請求項１２又は請求項１３に記載の施術量従量制保険点数計算システム。
【請求項１５】
前記施術装置は、
施術部を利用した施術の終了を示す情報である施術終了情報を施術者に入力させるための施術終了情報入力部を有し、
施術量出力部は、施術終了情報の入力後に前記出力をする請求項１４のいずれか一に記載の施術量従量制保険点数計算システム。
【請求項１６】
保険点数に代えて施術対価とした請求項１から１５のいずれか一に記載の施術量従量制保険点数計算システム。
【請求項１７】
前記保険点数計算装置は、
被施術者を識別する被施術者識別情報を取得する被施術者識別情報取得部と、
前記被施術者に施術した施術量を被施術者識別情報と関連付けて送信する施術量送信部と、
をさらに有する請求項１から請求項１５のいずれか一に記載の施術量従量制保険点数計算システム。
【請求項１８】
前記施術量送信部から送信された施術量とそれに関連付けられている被施術者識別情報を受信する施術量受信部と、
前記受信した被施術者識別情報と施術量に関連付けて施術前経過症状と、施術後経過症状とを取得する施術経過取得部と、
受信した施術者識別情報と施術量とこれに関連付けて取得された施術前経過症状を用いて施術後経過症状を算出するための所定のルールである施術量改善効果算出ルールを保持する施術量改善効果算出ルール保持部と、
受信した施術量と、取得した施術前経過症状と、取得した施術後経過症状と、を用いて保持されている前記施術量改善効果算出ルールを更新する施術量改善効果算出ルール更新部と、
保持されている最新の施術量改善効果算出ルールと、取得した施術前経過症状と、施術量とを用いて予想される施術後経過症状を算出する施術後経過症状算出部と、
算出された予想される施術後経過症状を外部端末から閲覧させるための閲覧部と、
を有する統計処理装置と、
請求項１７に記載の施術量従量制保険点数計算システムと、
からなる情報処理システム。
【請求項１９】
前記所定の施術量改善効果算出ルール及び施術量改善効果算出ルール更新部が人工知能を構成している請求項１８に記載の情報処理システム。
【請求項２０】
施術装置がインターネット通信機能を有する請求項１８又は請求項１９に記載の情報処理システム。
【請求項２１】
保険の対象となる医療行為に利用される施術装置の施術に利用する施術部を利用した施術の施術時間、施術に要する又は要した資材の量、施術の質、施術履歴のいずれか一以上である施術量を取得する施術量取得ステップと、
施術量を保険点数に変換するルールである第一変換ルールを保持する第一変換ルール保持ステップと、
取得した施術量と、保持されている第一変換ルールとに基づいて第一保険点数を取得する保険点数取得ステップと、
取得した保険点数を出力する第一保険点数出力ステップと、
を有する施術量従量制保険点数計算方法。
【請求項２２】
施術種を取得する施術種取得ステップと、
保険の対象となる医療行為に利用される施術装置の施術に利用する施術部を利用した施術の施術時間、施術に要する又は要した資材の量、施術の質、施術履歴のいずれか一以上である施術量を取得する施術量取得スッテプと、
施術種及び施術量を保険点数に変換するルールである第二変換ルールを保持する第二変換ルール保持ステップと、
取得した施術量と、取得した施術種と、保持されている第二変換ルールとに基づいて保険点数を取得する第二保険点数取得ステップと、
取得した保険点数を出力する第二保険点数出力ステップと、
を有する施術量従量制保険点数計算方法。
【請求項２３】
保険の種類又は／及び属性の情報である保険属性情報の入力を受け付ける保険属性情報取得ステップと、
施術種を取得する施術種取得ステップと、
保険の対象となる医療行為に利用される施術装置の施術に利用する施術部を利用した施術の施術時間、施術に要する又は要した資材の量、施術の質、施術履歴のいずれか一以上である施術量を取得する施術量取得ステップと、
保険属性情報、施術種、及び施術量を保険点数に変換するルールである第三変換ルールを保持する第三変換ルール保持ステップと、
取得した保険属性情報、施術量と及び、施術種と、保持されている第三変換ルールとに基づいて保険点数を取得する第三保険点数取得ステップと、
取得した保険点数を出力する第三保険点数出力ステップと、
を有する施術量従量制保険点数計算方法。
【発明の詳細な説明】
【技術分野】
【０００１】
本発明は、施術量に従量する保険点数計算システム、及び、施術量に従量する保険点数計算方法、に関するものである。
【背景技術】
【０００２】
保険診療は、保険点数に応じて料金が定まるものである。しかし、保険点数は、提供された施術の種類や性質に応じて適切な換算となっていないケースがあった。
【先行技術文献】
【特許文献】
【０００３】
【特許文献１】特開２０００−４８０９２
【発明の概要】
【発明が解決しようとする課題】
【０００４】
歯周病や歯周疾患などの長期的かつ定期的に薬剤を塗布ないし歯垢を除去するといった診察は、施術にあたり消費した時間や薬品の量に関係なく、一定の保険点数として扱われてきていた。しかし、治療の段階や、症状の重さに応じて、消費される時間や薬品の量は変動的なものであり、病院側あるいは患者側にとって対価性の担保されない労働力の提供や金銭の負担を負わせるものであった。
【０００５】
そこで、本発明においては、施術に応じた適切な保険計算ができるように、施術量に従量する保険点数計算システム及び施術量に従量する保険点数計算方法、を提供することを目的とする。
【０００６】
そのような目的を達成するため、本発明は、保険の対象となる医療行為に利用される施術装置の施術に利用する施術部を利用した施術の施術時間、施術に要する又は要した資材の量、施術の質、施術履歴等の複数のいずれか一以上である施術料を取得する施術量取得部と、施術量を保険点数に変換するルールである第一変換ルールを保持する第一変換ルール保持部と、取得した施術量と、保持されている第一変換ルールとに基づいて保険点数を取得する保険点数取得部と、取得した保険点数を出力する第一保険点数出力部と、を有する保険点数計算装置、からなる施術量従量制保険点数計算システムを開発した（請求項１対応）。
【０００７】
次に、本発明は、前記特徴に加えて、前記保険点数計算装置は、保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有することを特徴とする施術量従量制保険点数計算システムを開発した（請求項２対応）。
【０００８】
次に、本発明は、前記特徴に加えて、施術部と、施術部を利用した施術の施術時間、施術に要する又は要した資材の量、施術の質、施術履歴のいずれか一以上である施術量を送信する送信部と、を有する施術装置をさらに有することを特徴とする施術量従量制保険点数計算システムを開発した（請求項３対応）。
【０００９】
次に、本発明は、前記特徴に加えて、前記施術装置が、施術部を利用した施術の施術時間、施術に要する又は要した資材の量、施術の質、施術知的のいずれか一以上である施術量を入力する施術量入力部と、入力に応じて施術部を制御する制御部と、施術終了後に入力された施術量を送信部に出力する施術量出力部と、をさらに有することを特徴とする施術量従量制保険点数計算システムを開発した（請求項４対応）。
【００１０】
次に、本発明は、前記特徴に加えて、前記施術装置が、施術部を利用した施術の終了を示す情報である施術終了情報を施術者に入力させるための施術終了情報入力部を有し、施術量出力部は、施術終了情報の入力後に前記出力をすること、をさらに特徴とする施術量従量制保険点数計算システムを開発した（請求項５対応）。
【００１１】
本発明は、施術種を取得する施術種取得部と、保険の対象となる医療行為に利用される施術装置の施術に利用する施術部を利用した施術の施術時間、施術に要する又は要した資材の量、施術の質、施術履歴のいずれか一以上である施術量を取得する施術量取得部と、施術種及び施術量を保険点数に変換するルールである第二変換ルールを保持する第二変換ルール保持部と、取得した施術量と、取得した施術種と、保持されている第二変換ルールとに基づいて保険点数を取得する第二保険点数取得部と、を有する保険点数計算装置を有することを特徴とする施術従量制保険点数計算システムを開発した（請求項６対応）。
【００１２】
次に、本発明は、前記特徴に加えて、前記保険点数計算装置は、保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有することを特徴とする施術量従量制保険点数計算システムを開発した（請求項７対応）。
【００１３】
次に、本件発明は、前記特徴に加えて、施術部と、施術部を利用した施術の施術時間委要する又は要した資材の量、施術の質、施術履歴のいずれか一以上である施術量を送信する送信部と、を有する施術装置をさらに有することを特徴とする施術量従量制保険点数計算システムを開発した（請求項８対応）。
【００１４】
次に、本発明は、前記特徴に加えて、前記施術装置が、施術部を利用した施術の施術時間、施術に要する又は要した資材の量、施術の質、施術履歴のいずれか一以上である施術量を入力する施術量入力部と、入力に応じて背施術量を制御する制御部と、施術終了後に入力された施術量を送信部に出力する施術量出力部と、をさらに有することを特徴とする施術量従量制保険点数計算システムを開発した（請求項９対応）。
【００１５】
次に、本発明は、前記特徴に加えて、前記施術装置が、施術部を利用した施術終了を示す情報である施術終了情報を施術者に入力させるための施術終了情報入力部を有し、施術量出力部は、施術終了情報の入力後に前記出力をする、との特徴をさらに有する施術量従量制保険点数計算システムを開発した（請求項１０対応）。
【００１６】
本発明は、保険の種類又は／及び属性の情報である保険属性情報の入力を受け付ける保険属性情報取得部と、施術種を取得する施術種取得部と、保険の対象となる医療行為に利用される施術装置の施術に利用する施術部を利用した施術の時間、施術に要する又は要した資材の量、施術の質、施術履歴のいずれか一以上である施術量を取得する施術量取得部と、保険属性情報、施術種、及び施術量を保険点数に変換するルールである第三変換ルールを保持する第三変換ルール保持部と、取得した保険属性情報、施術量と及び、施術種と、保持されている第三変換ルールとに基づいて保険点数を取得する第三保険点数を取得する第三保険点数取得部と、取得した保険点数を出力する第三保険点数出力部と、を有する保険点数計算装置を有することを特徴とする施術量従量制保険点数計算システムを開発した（請求項１１対応）。
【００１７】
次に、本発明は、前記特徴に加えて、前記保険点数計算装置は、保険の対象となる医療行為に利用される施術装置の施術に利用する施術部を利用した施術の施術時間、施術に要する又は要した資材の量、施術の質、施術履歴のいずれか一以上である施術量を施術装置から受信する受信部をさらに有することを特徴とする施術量従量制保険点数計算システムを開発した（請求項１２対応）。
【００１８】
次に、本発明は、段落番号００１９記載の特徴に加えて、施術部と、施術部を利用した施術の施術時間、施術に要する又は要した資材の量、施術の質、施術履歴のいずれか一以上である施術量を送信する送信部と、を有する施術装置をさらに有することを特徴とする施術量従量制保険点数計算システムを開発した（請求項１３対応）。
【００１９】
次に、本発明は、前記特徴に加えて、前記施術装置が、施術部を利用した施術の施術時間、施術に要する又は要した資材の量、施術の質、施術履歴のいずれか一以上である施術量を入力する施術量入力部と、入力に応じて施術部を制御する制御部と、施術終了後に入力された施術量を送信部に出力する施術量出力部と、をさらに有することを特徴とする施術量従量制保険点数計算システムを開発した（請求項１４対応）。
【００２０】
次に、本発明は、前記特徴に加えて、前記施術装置が、施術部を利用した施術の終了を示す情報である施術終了情報を施術者に入力させるための施術終了情報入力部を有し、施術量出力部は、施術終了情報の入力後に前記出力する、との特徴をさらに有する施術量従量制保険点数計算システムを開発した（請求項１５対応）。
【００２１】
本発明は、前記特徴のいずれか一において、保険点数に変えて施術対価とすることを特徴とする施術量従量制保険点数計算システムである（請求項１６対応）。
【００２２】
本発明は、前記特徴のいずれか一において、前記保険点数計算装置は、被施術者を識別する被施術者識別情報を取得する被施術者識別情報取得部と、前記被施術者に施術した施術量を施術者識別情報と関連付けて送信する施術量送信部と、をさらに有することを特徴とする施術量従量制保険点数計算システムである（請求項１７対応）。
【００２３】
本発明は、前記施術量送信部から送信された施術量とそれに関連付けられている被施術者識別情報を受信する施術量受信部と、前記受信した被施術者識別情報と施術量に関連付けて施術前経過症状と、施術後経過症状とを取得する施術経過取得部と、受信した施術者識別情報と施術量とこれに関連付けて取得された施術前経過症状を用いて施術後経過症状を算出するための所定のルールである施術量改善効果算出ルールを保持する施術量改善効果算出ルール保持部と、受信した施術量と、取得した施術前経過症状と、取得した施術後経過症状と、を用いて保持されている前記施術量改善効果算出ルールを更新する施術量改善効果算出ルール更新部と、保持されている最新の施術量改善効果算出ルールと、取得した施術前経過症状と、施術量とを用いて予想される施術後経過症状を算出する施術後経過症状算出部と、算出された予想される施術後経過症状を外部端末から閲覧させるための閲覧部と、を有する統計処理装置と、段落番号００２２記載の施術量従量制保険点数計算システムと、からなる情報処理システムを開発した（請求項１８対応）。
【００２４】
次に、本発明は、前記特徴に加えて、前記所定の施術量改善効果算出ルール及び施術量改善効果算出ルール更新部が人工知能を構成していることを特徴とする情報処理システムを開発した（請求項１９対応）。
【００２５】
次に、本発明は、前記特徴に加えて、施術装置がインターネット通信機能を有すること特徴とする情報処理システムを開発した（請求項２０対応）。
【００２６】
本発明は、保険の対象となる医療行為に利用される施術装置の施術に利用する施術部を利用した施術の時間、施術に要する又は要した資材の量、施術の質、施術履歴のいずれか一以上である施術量を取得する施術量取得ステップと、施術量を保険点数に変換するルールである第一変換ルールを保持する第一変換ルール保持ステップと、取得した施術量と、保持されている第一変換ルールとに基づいて保険点数を取得する第一保険点数取得ステップと、取得した保険点数を出力する第一保険点数出力ステップと、を有する施術量従量制保険点数計算方法を開発した（請求項２１対応）。
【００２７】
本発明は、施術種を取得する施術種取得ステップと、保険の対象となる医療行為に利用される施術装置の施術に利用する施術部を利用した施術の施術時間、施術に要する又は要した資材の量、施術の質、施術履歴のいずれか一以上である施術量を取得する施術量取得スッテプと、施術種及び施術量を保険点数に変換するルールである第二変換ルールを保持する第二変換ルール保持ステップと、取得した施術量と、取得した施術種と、保持されている第二変換ルールとに基づいて保険点数を取得する第二保険点数取得ステップと、取得した保険点数を出力する第二保険点数出力ステップと、を有する施術量従量制保険点数計算方法を開発した（請求項２２対応）。
【００２８】
本発明は、保険の種類又は／及び属性の情報である保険属性情報の入力を受け付ける保険属性情報取得ステップと、施術種を取得する施術種取得ステップと、保険の対象となる医療行為に利用される施術装置の施術に利用する施術部を利用した施術の施術時間、施術に要する又は要した資材の量、施術の質、施術履歴のいずれか一以上である施術量を取得する施術量取得ステップと、保険属性情報、施術種、及び施術量を保険点数に変換するルールである第三変換ルールを保持する第三変換ルール保持ステップと、取得した保険属性情報、施術量と及び、施術種と、保持されている第三変換ルールとに基づいて保険点数を取得する第三保険点数取得ステップと、取得した保険点数を出力する第三保険点数出力ステップと、を有する施術量従量制保険点数計算方法を開発した（請求項２３対応）。
【発明の効果】
【００２９】
本発明の、施術量従量制保険点数計算システム、又は、施術量従量制保険点数計算方法によれば、施術内容に応じた適切な保険点数の計算ができる。
【図面の簡単な説明】
【００３０】
【図１】実施形態１の施術量従量制保険点数計算システムの概念図
【図２】実施形態１の施術量従量制保険点数計算システムの機能ブロック図
【図３】実施形態１の施術量従量制保険点数計算システムの入力画面例を示す図
【図４】実施形態１の施術量従量制保険点数計算システムの変換ルールの一例を示す図
【図５】実施形態１の施術量従量制保険点数計算システムの変換ルールの切削ドリルの保険点数を説明するための図
【図６】実施形態１の施術量従量制保険点数計算システムのハードウェア構成例を示す図
【図７】実施形態１の施術量従量制保険点数計算システムの処理フローチャート
【図８】実施形態２の施術量従量制保険点数計算システムの機能ブロック図
【図９】実施形態２の施術量従量制保険点数計算システムのハードウェア構成例を示す図
【図１０】実施形態２の施術量従量制保険点数計算システムの処理フローチャート
【図１１】実施形態３の施術量従量制保険点数計算システムの機能ブロック図
【図１２】実施形態３の施術量従量制保険点数計算システムにおける施術装置のハードウェア構成例を示す図
【図１３】実施形態３の施術量従量制保険点数計算システムの処理フローチャート
【図１４】実施形態４の施術量従量制保険点数計算システムの機能ブロック図
【図１５】実施形態４の施術量従量制保険点数計算システムにおける施術装置のハードウェア構成例を示す図
【図１６】実施形態４の施術量従量制保険点数計算システムの処理フローチャート
【図１７】実施形態５の施術量従量制保険点数計算システムの機能ブロック図
【図１８】実施形態５の施術量従量制保険点数計算システムにおける施術装置のハードウェア構成例を示す図
【図１９】実施形態５の施術量従量制保険点数計算システムの処理フローチャート
【図２０】実施形態６の施術量従量制保険点数計算システムの機能ブロック図
【図２１】実施形態６の施術量従量制保険点数計算システムの変換ルールの一例を示す図
【図２２】実施形態６の施術量従量制保険点数計算システムのハードウェア構成例を示す図
【図２３】実施形態６の施術量従量制保険点数計算システムの処理フローチャート
【図２４】実施形態７の施術量従量制保険点数計算システムの機能ブロック図
【図２５】実施形態７の施術量従量制保険点数計算システムのハードウェア構成例を示す図
【図２６】実施形態７の施術量従量制保険点数計算システムの処理フローチャート
【図２７】実施形態８の施術量従量制保険点数計算システムの機能ブロック図
【図２８】実施形態８の施術量従量制保険点数計算システムの処理フローチャート
【図２９】実施形態９の施術量従量制保険点数計算システムの機能ブロック図
【図３０】実施形態９の施術量従量制保険点数計算システムの処理フローチャート
【図３１】実施形態１０の施術量従量制保険点数計算システムの機能ブロック図
【図３２】実施形態１０の施術量従量制保険点数計算システムの処理フローチャート
【図３３】実施形態１１の施術量従量制保険点数計算システムの機能ブロック図
【図３４】実施形態１１の施術量従量制保険点数計算システムの変換ルールの一例を示す図
【図３５】実施形態１１の施術量従量制保険点数計算システムのハードウェア構成例を示す図
【図３６】実施形態１１の施術量従量制保険点数計算システムの処理フローチャート
【図３７】実施形態１２の施術量従量制保険点数計算システムの機能ブロック図
【図３８】実施形態１２の施術量従量制保険点数計算システムのハードウェア構成例を示す図
【図３９】実施形態１２の施術量従量制保険点数計算システムの処理フローチャート
【図４０】実施形態１３の施術量従量制保険点数計算システムの機能ブロック図
【図４１】実施形態１３の施術量従量制保険点数計算システムの処理フローチャート
【図４２】実施形態１４の施術量従量制保険点数計算システムの機能ブロック図
【図４３】実施形態１４の施術量従量制保険点数計算システムの処理フローチャート
【図４４】実施形態１５の施術量従量制保険点数計算システムの機能ブロック図
【図４５】実施形態１５の施術量従量制保険点数計算システムの処理フローチャート
【図４６】実施形態１７の施術量従量制保険点数計算システムの機能ブロック図
【図４７】実施形態１７の施術量従量制保険点数計算システムのハードウェア構成例を示す図
【図４８】実施形態１７の施術量従量制保険点数計算システムの処理フローチャート
【図４９】実施形態１８の施術量従量制保険点数計算システムの機能ブロック図
【図５０】実施形態１８の施術量従量制保険点数計算システムにおける統計処理装置のハードウェア構成例を示す図
【図５１】実施形態１８の施術量従量制保険点数計算システムの処理フローチャート
【図５２】保険診療の患者に渡す領収書の例を示す図
【図５３】実施形態１６（パターン１）の施術量従量制施術対価計算システムの機能ブロック図
【図５４】実施形態１６（パターン１）の施術量従量制施術対価計算システムのハードウェア構成例を示す図
【図５５】実施形態１６（パターン１）の施術量従量制施術対価計算システムの処理フローチャート
【図５６】実施形態１６（パターン２）の施術量従量制施術対価計算システムの機能ブロック図
【図５７】実施形態１６（パターン２）の施術量従量制施術対価計算システムのハードウェア構成例を示す図
【図５８】実施形態１６（パターン２）の施術量従量制施術対価計算システムの処理フローチャート
【図５９】実施形態１９における施術量改善効果算出ルールに人工知能を用いた例を示す図
【図６０】実施形態１８における施術量改善効果算出ルールを説明するための図
【図６１】実施形態１８における施術時間と施術後経過症状との関係図
【図６２】実施形態１８における複数の被施術者に対する治療効果が得られる施術時間の平均値を示す図
【図６３】実施形態１８における施術量従量制施術保険計算システムと統計処理装置を含む情報処理システムのブロック図
【発明を実施するための形態】
【００３１】
以下、本発明の実施形態について、図を用いて説明する。なお、本発明の内容は、以下の実施形態にのみ限定されるものではなく、本発明の要旨を逸脱しない範囲内において、種々なる態様で実施しうる。
【００３２】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、その他の外部周辺装置などのハードウェア構成部、またその外部周辺装置用のインターフェイス、通信用インターフェイス、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェイスなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００３３】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
＜実施形態１＞
＜概要＞
【００３４】
本実施形態１の発明は、施術の具体的な内容に応じて保険点数を計算できる、施術量従量制保険点数計算システムである。
図１に示すように、歯科用の施術装置に患者０１０２が横たわっており、歯科医師０１０１が歯科の施術を行っている施術装置０１０３を示しており、施術装置０１０３はネットワーク（有線ＬＡＮ、無線ＬＡＮ、インターネット、ブロードバンド、モバイルネットワークを含む）介して、図示しない施術量従量制保険点数計算システムと接続されている。この施術量従量制保険点数計算システムは歯科医院内のコンピュータや、遠隔のコンピュータ上にソフトウェアで実現されたり、または専用のハードウェアで実現される。施術装置０１０３は、液晶用タッチパネルディスプレイ０１０４、歯科レントゲン、ＣＴスキャン画像等を表示するディスプレイ０１０５、口腔内を明るく照らすＬＥＤ無影灯０１０６、施術装置制御部０１０７、ディスプレイ０１０５を支持する支持アーム０１０８、ＬＥＤ無影灯０１０６の支持アーム０１０９、切削ドリル０１１０、口腔内バキューム０１１１、施術台テーブル０１１２などが備えられている。ディスプレイ０１０５、ＬＥＤ無影灯０１０６は、それぞれ支持アーム０１０８や支持アーム０１０９により歯科医師０１０１が施術しやすい位置に調整できる構造になっている。実施形態１の施術量従量制保険点数計算システムは、上述したような施術装置０１０３で行われた施術の具体的な内容に応じて保険点数を計算するシステムである。
＜実施形態１  構成＞
【００３５】
図２に示すように、実施形態１の施術量従量制保険点数計算システムは、施術量取得部０２０１と、第一変換ルール保持部０２０２と、第一保険点数取得部０２０３と、第一保険点数出力部０２０４と、からなる保険点数計算装置０２００を有する施術量従量制保険点数計算システムである。
＜実施形態１  構成の説明＞
＜実施形態１  施術量取得部＞
【００３６】
「施術量取得部」０２０１は、保険の対象となる医療行為に利用される施術装置の施術に利用する施術部を利用した施術の施術時間、施術に要する又は要した資材の量、施術の質、施術履歴のいずれか一以上である施術量を取得する。
＜実施形態１  施術時間＞
【００３７】
「施術時間」は、施術にあたって、施術部を利用して治療行為を行っている時間のことである。施術量項目の一種である。例えば、歯科における治療においては、歯を削る器具の回転部分を駆動させるモーターの回転時間を基準に測定することが考えられる。１分間の回転数を測定しておき、施術中はモーターの回転数を計測することで、設定された１分当たりの回転数から施術時間を算出する方法や、モーターの回転開始時点から時間の測定が開始され、モーターの回転終了で時間の測定が終了されて、施術時間が測定されるという方法等が考えられる。保険点数を取得するために用いられる施術時間は、１分を単位時間とすることが考えられるが、単位時間は、秒単位であっても構わないし、１０分単位、１５分単位、１時間単位など、施術の性質にあわせて設定してよい。
＜実施形態１  施術に要する資材の量＞
【００３８】
「施術に要する資材の量」は、これから行う施術において必要となる資材の量のことである。施術量項目の一種である。例えば、歯科において歯形をとる行為などの場合には、必要となる石膏の量は型取りをする歯の本数や部分によって事前に決まっている。あるいは、使用する麻酔の量は事前に決められている。このように、症状に対する施術計画をもって事前に施術に要する資材が決定されている場合や、施術方法によって、利用する資材の量があらかじめ決まっている場合が考えられる。この場合、施術履歴や施術方法の選択によって、前記施術装置が自動的に、施術に要する資材の量を測定する方法が考えられる他、施術者あるいは施術補助者が施術前にあらかじめ施術装置に施術を開始する以前に、施術行為時点の施術計画に沿って手動で入力する方法が考えられる。資材の例としては、過酸化水素（Ｈ2Ｏ2）などの薬品を想定しているが、施術装置で消費されるものであれば、施術を行うにあたり、必要不可欠なものに限られず、施術を快適に行う上で必要な物も含まれる。
＜実施形態１  施術に要した資材の量＞
【００３９】
「施術に要した資材の量」は、施術装置によって行われた施術により消費された資材の量のことである。施術量項目の一種である。例えば、施術部の先端から薬品を出すことによって、施術部に塗布したり施術部周辺に薬をかけたりすることが考えられるところ、利用された資材の量は、施術装置内に含有されていた薬の重さの施術前後での差分値から測定することが考えられる。資材の例としては、過酸化水素（Ｈ2Ｏ2）などの薬品を想定しているが、単位量は、施術に用いる資材に合わせて設定することが可能である。
＜実施形態１  施術の質＞
【００４０】
「施術の質」は、使用する施術装置（施術機械）や施術に用いられる手段に応じて定められる指標のことである。施術量項目の一種である。例えば、歯科において歯周疾患の治療を行うにあたり過酸化水素を用いた場合の濃度の濃淡が施術の質の例として挙げられる。この他に、レーザー出力装置を利用する場合に、レーザーの出力の高低や、レーザー出力を行わない状態でレーザー出力装置を用いたという施術手段の選択といったものが、施術の質として考えられる。施術の質とされるものは、ここに記載した例示に限定されない。施術の質を測定する場合には、使用時間や使用量といったものは関係してこないので、施術開始時に施術者が手動で入力する方法や、あるいは、施術装置がどのような機材をどのような態様で使用しているかを識別することによって、施術の質を特定する方法が考えられる。
＜実施形態１  施術の質：その他施術部位情報＞
【００４１】
施術部位情報とは、施術が行われている部位を示す情報である。たとえば、歯科治療であれば、何番の歯かといった情報であり、内科治療でれば、腹痛のときは腹といった情報である。施術部位情報の取得方法は、施術者又は被施術者が直接入力する方法などが考えられる。この他にも、施術部位を正確に認識して施術部位情報を取得することができる方法であれば、どのような方法であってもかまわない。施術部位情報の取得は、施術の前でも施術の最中でも施術の後でも構わない。また、仮に本実施形態に示した順番と異なった順序で被施術者識別情報と施術部位情報と施術内容情報を取得したとしても構わないし、同時に取得されても構わない。
＜実施形態１  施術の質：その他施術原因情報＞
【００４２】
施術原因情報は、その日の施術で行われた治療の原因となった病気等の情報である。たとえば、歯科治療では、初期う蝕であるとか、歯周疾患といったものである。たとえば、内科治療では、盲腸や胃炎といったものである。
＜実施形態１  施術履歴＞
【００４３】
「施術履歴」は、ある歯に対して、過去にどのような治療を行っていたか、あるいは、現在施術の対象となっている症状に対して、これまでどのような施術を施してきたという、治療記録である。施術量項目の一種である。例えば、歯科の治療の場合、同じ歯に対して２回目以降の治療を行う場合には、保険診療の金額が安価になるよう定められているので、過去の診療履歴から、何度目の治療なのかを判断する。この他に、施術に要する資材の量の判断をするにあたり、施術履歴を総合判断のために用いることも考えられる。施術の履歴は、過去に施術を行っていれば必ず施術履歴有りと判断されなければならないものなので、施術者の選択によらずに、必ず施術量取得部０２０１によって取得される施術量である。
＜実施形態１  施術履歴：その他施術の回数＞
【００４４】
施術の回数は、過去にも同一部位同一内容の施術を行っている場合に、その施術が何度目であるかということである。例えば、歯科治療における保険の適用では、同じ歯に対する同じ原因の症状への治療は二回目から安くなると定められている。他にも、シミとりやエステ、脱毛といった美容に関係する分野であったり、そもそも定期的に繰り返し施術を必要とすることが前提となっているような領域においては、何度目の施術であるかによって保険料を変化させるシステムが採用可能である。そこで、過去に施術を受けているというだけでなく、何度目の施術であるかという回数にまで着目することの有効性が認められる。重複する施術であることの記録が取れれば、回数まで特定していなかったとしても、構わない。
【００４５】
施術部を用いた施術が行われているか行われていないかを確認する手段として、施術部から送られてくる電気信号の有無を識別する方法が挙げられる。電気信号の例としては、施術部のモーターの回転が開始されたことを示す電気信号や、施術部を施術装置に固定させておくための装置から持ち上げたことを示す電気信号や、施術部を施術者が握っている場合に必ず触れる部分に設置したセンサー等によって、施術部が施術者の手で握られていることを示す電気信号等が考えられる。あるいは、施術部が施術中ではない状態にだけ送信されていて、施術が始めると電気信号が途切れるというものでも良い。施術部識別手段は、施術部が施術に用いられている状態と施術部が施術に用いられていない状態を区別することができる方法であれば、その方法は限定されない。
【００４６】
図３に示すように、施術に要する資材の量が施術量項目として設定されたかどうかの判断は、施術者又は施術補助者が施術装置あるいは施術装置に接続された装置を利用して施術に要する資材の量を施術項目に入力することで判断される。
【００４７】
施術に要する資材の量は、施術を行う前に取得されるものである。取得方法の例としては、施術者又は施術補助者が、施術前に施術装置あるいは施術装置に接続された装置を利用して、施術に要する資材の量を直接入力する方法が考えられる。あるいは、施術量の決定に必要な情報を入力することで、あらかじめ規定された資材の量が、施術に要する資材の量になることが考えられる。
＜実施形態１  第一変換ルール保持部＞
【００４８】
「第一変換ルール保持部」０２０２は、施術量を保険点数に変換するルールである第一変換ルールを保持する。
図３に示すように、施術量入力画面は「患者名」、「入力者」の欄と、「施術装置選択メニュー」と、「施術量入力メニュー」とからなっている。施術装置としては、切削ドリル、ＣＴスキャナ、ＵＶ照射装置、Ｈ2Ｏ2（過酸化水素）注出装置、超音波装置、クリーニング装置などがある。また、施術量入力項目としては、時間、資材量、質などがある。図３の例では、施術装置としてＨ2Ｏ2（過酸化水素）注出装置を選択し、施術量入力に時間を選び、時間の入力表示画面が示されている。
図４に図３の施術量入力に基づいて保険点数に変換する第一変換ルールを示す。例えば、切削ドリルの変換ルールは、Ｎ＝ドリルの刃の種類の点数×ドリルの使用時間（分）×１０で示される。
図５に示すように、ドリルの刃の種類数に応じて保険点数が決められている。「Ａ」は１０点、「Ｂ」は２０点、「Ｃ」は３０点。例えば、施術装置に切削ドリルを選択し、ドリルの刃の種類数が「Ａ」、切削ドリルの使用時間が「１５分」と入力された場合は、Ｎ＝１０×１５×１０＝１５００点となる。すなわち、保険点数が１５００点となる。また、施術装置にＨ2Ｏ2注出装置を選択し、注出時間が「５分」と入力された場合は、Ｎ＝５×６０＝３００点となる。すなわち、保険点数が３００点となる。
＜実施形態１  第一保険点数取得部＞
【００４９】
「第一保険点数取得部」０２０３は、施術量取得部０２０１によって取得された施術量と、第一変換ルール保持部０２０２が保持している第一変換ルールとに基づいて、保険点数を取得する。例えば、施術量が１０分と過酸化水素４００ミリで、第一変換ルールが施術量１分６０点過酸化水素２００ミリで１０点の場合、保険点数は時間に関して６００点、過酸化水素に関して２０点となる。したがって、保険点数６２０点が取得される。
＜実施形態１  第一保険点数出力部＞
【００５０】
「第一保険点数出力部」０２０４は、第一保険点数取得部０２０３が取得した保険点数を、保険点数計算装置の外に出力する。例えば、保険点数計算装置に接続されたディスプレイに出力することが考えられる。あるいは、保険点数計算装置に接続されたプリンタを通じて紙面に印刷することで出力することが考えられる。この他の出力方法でもよく、出力の方法は限定されない。
＜実施形態１  作用：ハードウェア構成（保険点数計算装置）＞
【００５１】
図６に示すように、保険点数計算装置のコンピュータの構成は、ＣＰＵ０６０１と、ＨＤＤ、ＲＯＭ等の不揮発性メモリ０６０２と、主メモリ０６０３と、インターフェイス０６０４とから構成されている。不揮発性メモリ０６０２には、施術量取得プログラムと、第一変換ルール保持プログラムと、第一保険点数取得プログラムと、第一保険点数出力プログラム、等のプログラムが格納されている。データとしては、施術量、施術終了情報、施術履歴、第一変換ルール、保険点数などがある。これらのプログラムやデータは、主メモリ０６０３の保持領域に読み込まれ、作業領域で実行される。また、インターフェイス０６０４には、通信インターフェイス（有線ＬＡＮ、インターネット、ブロードバンド等）０６０５、ディスプレイインターフェイス０６０６、プリンタインターフェイス０６０７、タッチ入力インターフェイス０６０８、施術に用いる外部装置のインターフェイス等の外部デバイスインターフェイス０６０９などがある。
＜実施形態１  作用：処理の流れ＞
【００５２】
図７に示すように、まず施術量取得プログラムにより保険の対象となる医療行為に利用される施術装置の施術に利用する施術部を利用した施術の施術時間、施術に要する又は要した資材の量、施術の質、施術履歴のいずれか一以上である施術量を取得する施術量取得ステップを実行する（ステップ０７０１）。ここで、施術時間、施術に要する又は要した資材の量、施術の質、施術履歴については、上述したので、説明を省略する。
【００５３】
次に施術量取得プログラムにより取得した施術量と、第一変換ルール保持部に保持されている第一変換ルールとに基づいて第一保険点数を取得する第一保険点数取得ステップを実行する（ステップ０７０２）。ここで、施術量取得ステップ０７０１により、施術量の取得が行われると、次に、第一保険点数取得部に施術量の入力があるかを確認し、施術量の入力が確認されると、第一変換ルールに基づく保険点数の算出を行う。算出が済むと、保険点数が取得される。
次に第一保険点数出力プログラムにより取得した保険点数を出力する第一保険点数出力ステップを実行する（ステップ０７０３）。
【００５４】
このようにして、得られた保険点数は、患者の診療費の精算や保険医療機関への保険請求に利用される。
【００５５】
例えば、図５２に示す歯科診療領収書のように、保険適用を受けられる歯科診療項目は決められている。具体的には、「初・再診料」、「医学管理等」、「在宅医療」、「検査」、「画像診断」、「投薬」、「注射」、「リハビリテーション」、「処置」、「手術」、「麻酔」、「歯冠修復及び欠損補綴」、「歯科矯正」、「病理診断」である。その他の診療科の場合は、保険適用の診療項目は異なっており、共通の項目と、診療科独自の項目からなっている。例えば、内科診療の場合は、「入院料等」、「精神科専門療法」、「放射線治療」、「食事療養」などの項目がある。
また、保険適用を受けられない治療費は、保険外負担として別途費用を精算することになっている。
従って、本実施形態で計算された保険点数は、歯科の治療の場合は上述したような歯科診療項目に振り分けて図示しない電子レセプトコンピュータ又は電子レセプトソフトウェアにより保険請求などに利用される。
【００５６】
このように、実施形態１によれば、施術内容に応じた適切な保険点数の計算が可能な施術量従量制保険点数計算システムを実現できる。
＜実施形態２＞
＜概要＞
【００５７】
本実施形態２の発明は、実施形態１の特徴に加えて、施術装置から施術量を受信することを特徴とする、施術の具体的な内容に応じて保険点数を計算できる、施術量従量制保険点数計算システムである。
＜実施形態２  構成＞
【００５８】
図８に示すように、実施形態２の施術量従量制保険点数計算システムは、施術量取得部０８０１、第一変換ルール保持部０８０３、第一保険点数取得部０８０４、保険点数出力部０８０５に加えて受信部０８０２、とからなる保険点数計算装置０８００を有する。以下では、実施形態１との共通の構成は説明を省略し、本実施形態２に特徴的な構成について説明する。
＜実施形態２  構成の説明＞
＜実施形態２  受信部＞
【００５９】
「受信部」０８０２は、保険の対象となる医療行為に利用される施術装置の施術に利用する施術部を利用した施術の施術時間、施術に要する又は要した資材の量、施術の質、施術履歴のいずれか一以上である施術量を施術装置０８１０から受信する。受信部０８０２において受信した施術量は、施術量取得部０８０１に転送される。その他の構成は、実施形態１の構成と同様であるので、説明を省略する。
＜実施形態２  作用：ハードウェア構成（保険点数計算装置）＞
【００６０】
図９に示すように、保険点数計算装置のコンピュータの構成は、ＣＰＵ０９０１と、不揮発性メモリ０９０２と、主メモリ０９０３と、インターフェイス０９０４と、通信インターフェイス０９０５と、ディスプレイインターフェイス０９０６と、プリンタインターフェイス０９０７と、タッチ入力インターフェイス０９０８と、外部デバイスインターフェイス０９０９とから構成されている。不揮発性メモリ０９０２には、受信プログラム、等のプログラムが格納されている。データとしては、施術量、施術終了情報、施術履歴、第一変換ルール、保険点数などがある。これらのプログラムやデータは、主メモリ０９０３の保持領域に読み込まれ、作業領域で実行される。その他のプログラムは実施形態１の図６の構成と同様であるので、説明を省略する。
＜実施形態２  作用：処理の流れ＞
【００６１】
図１０右図に示すように、施術装置で施術プログラムにより施術ステップを実行する（ステップ１００１）。施術開始から施術終了まで行った後（ステップ１００２）、保険の対象となる医療行為に利用される施術装置の施術に利用する施術部を利用した施術の施術時間、施術に要する又は要した資材の量、施術の質、施術履歴のいずれか一以上である施術量を保険点数計算装置側に送信する。それぞれの施術量の取得については上述したものと同様であるので、詳細説明を省略する。
【００６２】
図１０左図に示すように、保険点数計算装置側では、受信プログラムにより、施術装置０８１０から施術量を受信する受信ステップを実行する（ステップ１００３）。受信ステップ１００３において、施術装置０８１０から保険の対象となる医療行為に利用される施術装置の施術に利用する施術部を利用した施術の施術時間、施術に要する又は要した資材の量、施術の質、施術履歴のいずれか一以上である施術量を受信する。
【００６３】
次に施術量取得プログラムにより施術量取得ステップ１００４を実行する。次に第一保険点数取得プログラムにより第一保険点数取得ステップ１００５を実行する。次に第一保険点数出力プログラムにより第一保険点数出力ステップ１００６を実行する。これらの処理を施術開始情報から施術終了情報を受けて施術を終了するまで（ステップ１００７）、ステップ１００３〜１００６までの処理を繰り返す。
【００６４】
ステップ１００４〜１００７までの処理ステップは、実施形態１の図７の処理と同様であるので、詳細な説明は省略する。
【００６５】
このように、実施形態２によれば、実施形態１に加え、施術装置から施術量を受信することにより、施術内容に応じた適切な保険点数の計算が可能な施術量従量制保険点数計算システムを実現できる。
＜実施形態３＞
＜概要＞
【００６６】
本実施形態３の発明は、前記実施形態２のシステムを有していることに加えて、施術装置に送信部を有することを特徴とする、施術量従量制保険点数計算システムである。
＜実施形態３  構成＞
【００６７】
図１１に示すように、実施形態３の施術量従量制保険点数計算システムは、施術量取得部１１０１、受信部１１０２、第一変換ルール保持部１１０３、第一保険点数取得部１１０４、第一保険点数出力部１１０５とを有する保険点数計算装置１１００を有し、施術部１１１１と有する送信部１１１２とを有する施術装置１１１０をさらに有する。以下では、実施形態２との共通の構成は説明を省略し、本実施形態３に特徴的な構成について説明する。
＜実施形態３  構成の説明＞
＜実施形態３  送信部＞
【００６８】
「送信部」１１１２は、施術部１１１１を利用した施術の施術時間、施術に要する又は要した資材の量、施術の質、施術履歴のいずれか一以上である施術量を送信する。それぞれの施術量の取得については、上述したので、説明を省略する。
送信部１１１２は、施術装置１１１１内に備えられている。施術部１１１１から取得した施術量を受信部１１０２へ送信する。また、送信部１１１２は施術者または施術補助者により入力された施術量を送信しても良い。その他の構成は、実施形態２の図８と同様な構成であるので、説明を省略する。
＜実施形態３  作用：ハードウェア構成（保険点数計算装置＞
【００６９】
実施形態３の保険点数計算装置のコンピュータの構成は、実施形態２の図９の構成と同様なので、説明を省略する。
＜実施形態３  作用：ハードウェアの構成（施術装置）＞
【００７０】
図１２に示すように、施術装置のコンピュータの構成は、ＣＰＵ１２０１と、ＨＤＤ、ＲＯＭ等の不揮発性メモリ１２０２と、主メモリ１２０３と、インターフェイス１２０４とから構成されている。不揮発性メモリ１２０２には、施術プログラム、送信プログラム、等のプログラムが格納されている。データとしては、施術量、施術終了情報などがある。これらのプログラムやデータは、主メモリ１２０３の保持領域に読み込まれ、作業領域で実行される。インターフェイス１２０４には、通信インターフェイス（有線ＬＡＮ、インターネット、ブロードバンド等）１２０５と、ディスプレイインターフェイス１２０６と、プリンタインターフェイス１２０７と、タッチ入力インターフェイス１２０９と、施術に用いる装置のインターフェイス等のデバイスインターフェイス１２０９などがある。
＜実施形態３  処理の流れ＞
【００７１】
図１３右図に示すように、施術装置で施術プログラムにより施術ステップを実行する（ステップ１３０１）。施術開始から施術終了まで行った後（ステップ１３０３）、送信プログラムにより保険の対象となる医療行為に利用される施術装置１１１０の施術に利用する施術部１１１１を利用した施術の施術時間、施術に要する又は要した資材の量、施術の質、施術履歴のいずれか一以上である施術量を施術量従量制保険点数計算システム側に送信する送信ステップを実行する（ステップ１３０２）。それぞれの施術量の取得については上述したものと同様であるので、詳細な説明を省略する。
【００７２】
図１３左図に示すように、保険点数計算装置側では、受信プログラムにより、施術装置から施術量を受信する受信ステップを実行する（ステップ１３０４）。受信ステップ１３０４において、施術装置から保険の対象となる医療行為に利用される施術装置１１１０の施術に利用する施術部１１１１を利用した施術の施術時間、施術に要する又は要した資材の量、施術の質、施術履歴のいずれか一以上である施術量を受信する。
【００７３】
次に、施術量取得プログラムにより施術量取得ステップ１３０５を実行する。次に、第一保険点数取得プログラムにより第一保険点数取得ステップ１３０６を実行する。次に、第一保険点数出力プログラムにより第一保険点数出力ステップ１３０７を実行する。これらの処理を施術開始情報から施術終了情報を受けて施術を終了するまで（ステップ１３０８）、ステップ１３０４〜１３０７までの処理を繰り返す。
【００７４】
ステップ１３０４〜１３０８までの処理ステップは、実施形態１の図１０のステップ１００３〜１００７までの処理と同様であるので、詳細な説明は省略する。
【００７５】
このように、実施形態３によれば、実施形態２に加え、施術装置から施術量を送受信することにより、施術内容に応じた適切な保険点数の計算が可能な施術量従量制保険点数計算システムを実現できる。
＜実施形態４＞
＜概要＞
【００７６】
本実施形態４の発明は、実施形態３の特徴に加えて、施術装置に入力した施術量に合わせ施術部の動作が制御されることを特徴とする、施術量従量制保険点数計算システムである。
＜実施形態４  構成＞
【００７７】
図１４に示すように、実施形態４の施術量従量制保険点数計算システムは、施術量取得部１４０１と、受信部１４０２と、第一変換ルール保持部１４０３と、第一保険点数取得部１４０４と、第一保険点数出力部１４０５とを有する保険点数計算装置１４００を有し、施術量入力部１４１１と、制御部１４１２と、施術部１４１３と、施術量出力部１４１４と、送信部１４１５とを有する施術装置１４１０とをさらに有するシステムである。以下では、実施形態３との共通の構成は説明を省略し、本実施形態４に特徴的な構成について説明する。
＜実施形態４  構成の説明＞
＜実施形態４  施術量入力部＞
【００７８】
「施術量入力部」１４１１は、施術部１４１３を利用した施術の施術時間、施術に要した資材の量、施術の質、施術履歴のいずれか一以上である施術量を入力する。施術量の入力は、施術者又は施術補助者によって、直接手動で行われる。施術量入力は、施術が行われる前に施術者又は施術補助者によって入力されるものである。施術者又は被施術者は、その日の施術内容に合わせて適切な施術量項目を選択して施術量を入力することができる。
＜実施形態４  制御部＞
【００７９】
「制御部」１４１２は、入力に応じて施術部１４１３を制御する。すなわち、制御部１４１２は入力された施術量に従って施術を行うように施術の時間や態様を制御する。例えば、施術時間を１０分と設定した場合には、施術時間が１０分に達する前に施術を終了することはできず、１０分経過したところで、施術装置が動きを止める。あるいは、過酸化水素水の濃度を３パーセントと設定した場合には、それよりも濃度の高いものや低いものを用いた場合には、施術装置が機能しない。この他に、モーターの回転速度によって施術量を指定したような場合には、指定された速度よりも回転が速い場合には回転速度を落とし、指定された速度よりも回転が遅い場合には、回転速度を早くするといった調整を行って、施術部の動きを制御することが考えられる。
＜実施形態４  施術量出力部＞
【００８０】
「施術量出力部」１４１４は、施術終了後に入力された施術量を送信部１４１５に出力する。
＜実施形態４  作用：ハードウェア構成（保険点数計算装置）＞
【００８１】
実施形態４の保険点数計算装置のコンピュータの構成は、実施形態２の図９の構成と同様なので、説明を省略する。
＜実施形態４  ハードウェアの構成（施術装置）＞
【００８２】
図１５に示すように、施術装置のコンピュータの構成は、ＣＰＵ１５０１と、ＨＤＤ、ＲＯＭ等の不揮発性メモリ１５０２と、主メモリ１５０３と、インターフェイス１５０４と、通信インターフェイス１５０５と、ディスプレイインターフェイス１５０６と、プリンタインターフェイス１５０７と、タッチ入力インターフェイス１５０８と、施術に用いる装置のインターフェイス等のデバイスインターフェイス１５０９とから構成されている。不揮発性メモリ１５０２には、施術量の入力を行うための施術量入力プログラム、入力された施術量に基づき施術部を制御する制御プログラム、施術部が制御プログラムの制御を受けながら施術を行うための施術プログラム、施術量を送信部に出力するための施術量出力プログラム、取得された施術量を受信部に送信するための送信プログラム、等のプログラムが格納されている。データとしては、施術量、施術終了情報などがある。これらのプログラムやデータは、主メモリ１５０３の保持領域に読み込まれ、作業領域で実行される。ここで、施術力出力部１４１４はディスプレイインターフェイス１５０６を介して図示しないディスプレイに接続されており、施術量入力部から入力された施術量を表示させても良い。
＜実施形態４  処理の流れ＞
【００８３】
図１６右図に示すように、施術装置では、施術量入力部１４１１に、施術量入力プログラムに従って施術量を入力すると、施術量入力部１４１１から制御部１４１２及び施術量出力部１４１４に施術量が、入力された施術量が転送される（ステップ１６０１）。次に、制御プログラムにより入力された施術量に応じて施術部１４１３を制御する制御ステップを実行する（ステップ１６０２）。制御ステップ１６０２の制御の下において、施術装置で施術プログラムにより施術ステップを実行する（ステップ１６０３）。施術開始から施術終了まで行った後（ステップ１６０６）、施術量出力部１４１４では施術量出力プログラムにより施術量を送信部１４１５に送る施術量出力ステップを実行する（ステップ１６０４）。次に、送信部１４１５では送信プログラムにより保険の対象となる医療行為に利用される施術装置１４１０の施術に利用する施術部１４１３を利用した施術の施術時間、施術に要する又は要した資材の量、施術の質、施術履歴のいずれか一以上である施術量を施術量従量制保険点数計算システム側に送信する送信ステップを実行する（ステップ１６０５）。
【００８４】
図１６左図に示すように、保険点数計算装置側では、受信プログラムにより、施術装置から施術量を受信する受信ステップを実行する（ステップ１６０７）。受信ステップ１６０７において、施術装置から保険の対象となる医療行為に利用される施術装置１４１０の施術に利用する施術部１４１３を利用した施術の施術時間、施術に要する又は要した資材の量、施術の質、施術履歴のいずれか一以上である施術量を受信する。
【００８５】
次に、施術量取得プログラムにより施術量取得ステップ１６０８を実行する。次に第一保険点数取得プログラムにより第一保険点数取得ステップ１６０９を実行する。次に第一保険点数出力プログラムにより第一保険点数出力ステップ１６１０を実行する。これらの処理を施術開始情報から施術終了情報を受けて施術を終了するまで（ステップ１６１１）、ステップ１６０７〜１６１０までの処理を繰り返す。
【００８６】
ステップ１６０７〜１６１１までの処理ステップは、実施形態１の図１０のステップ１００３〜ステップ１００７までの処理と同様であるので、詳細な説明は省略する。
【００８７】
以下、実施形態４における施術装置での特徴的な処理ステップを詳細に説明する。
＜実施形態４  制御ステップ１６０２＞
【００８８】
まず、施術装置１４１０にエネルギーが供給されると（電源ＯＮすると）、制御部１４１２は、制御待機状態となる。次に、施術量が施術量入力部１４１１から制御部１４１２に入力されたかを確認する。制御部１４１２への施術量の入力が確認できなかった場合は、制御部１４１２は制御待機状態を維持する。施術部１４１３への施術量の入力が確認できた場合には、制御部１４１２は施術部１４１３に対して入力された施術量に即した施術条件の設定を行う。施術が開始すると、制御部１４１２は、実際に行われている施術内容と施術量に則して設定した施術条件が一致しているかを確認する。実際の施術内容と、設定した施術条件が一致していない場合には、施術部１４１３の動作環境の変更を行い、実際の施術を設定した施術条件に一致するように変更する。実際の施術内容と施術量に則して設定した施術条件が一致している場合には、施術が終了しているかどうかを確認する。施術が終了していることを確認できなかった場合は、再び実際に行われている施術内容と施術量に則して設定した施術条件が一致しているかを確認するステップを繰り返す。施術が終了していることが確認できた場合には、制御部１４１２は、施術部１４１３の制御を終了する。
【００８９】
例えば、施術量として５分間という時間が設定されている場合には、５分に満たないうちに施術部１４１３が施術を止めているような時には、施術部１４１３の再稼働を行う。例えば、施術量を過酸化水素濃度３パーセントと定められていた場合には、施術部から射出あるいは噴射等される過酸化水素の濃度が３パーセントよりも大きい５パーセントのようなとき、あるいは３パーセントより小さい２パーセントのようなとき、施術部の動作を制御して、施術部からの過酸化水素の射出あるいは噴射を阻止する。そして、過酸化水の濃度が指定された３パーセントになるように施術装置の動作を調整する。
【００９０】
あるいは、制御部が施術条件との不一致に対して、施術者又は施術補助者に対して施術部を停止させ、施術者又は施術補助者に対して警告を出すシステムであってもよい。この場合、施術装置は警告を出力するための警告出力部を別途備えている必要がある。警告出力部に、制御部より施術条件不一致情報等が送られることによって、施術者又は施術補助者に対して警告が出される。
【００９１】
実際に行われている施術内容と施術量に則して設定した施術条件が一致するかどうかの確認は、施術量に則して設定した施術条件を示すある特定の数値について一致しているかどうかによって確認することがきる。実際に行われている施術内容のうち、設定された施術条件に関連する数値のみを施術部の動作環境を示す数値として制御部は把握し、この数値が施術条件を示す数値と同じ数値になるように、施術環境を示す数値を調整する。
【００９２】
例えば、モーターの回転数を単位時間当たり１００回とする施術量が指定された場合、施術条件を示す数値は１００となると考える。これに対して、実際の施術のモーター回転数が、施術環境を示す数値となる。実際の施術のモーター回転数が単位時間当たり１１０回である場合、施術環境を示す数値は１１０となり、施術条件数値１００とは１０の差があるので、実際に行われている施術の内容と、施術量に則して設定した施術条件が一致していないと判断される。したがって、施術部の動作環境を整えるために、施術環境数値を１００に変更する。この施術環境数値の変更を受けて、実際の施術におけるモーター回転数は単位時間当たり１００回に変更され、実際に行われている施術内容と、施術量に則して設定した施術条件が一致する。
【００９３】
このように、実施形態４によれば、実施形態３に加え、制御部で施術を制御しながら施術装置から施術量を送受信することにより、施術内容に応じた適切な保険点数の計算が可能な施術量従量制保険点数計算システムを実現できる。
＜実施形態５＞
＜概要＞
【００９４】
本実施形態５の発明は、実施形態４の特徴に加えて、施術終了情報の入力が可能である点を特徴とする、施術量従量制保険点数計算システムである。
＜実施形態５  構成＞
【００９５】
図１７に示すように、実施形態５の施術量従量制保険点数計算システムは、施術量取得部１７０１と、受信部１７０２と、第一変換ルール保持部１７０３と、第一保険点数取得部１７０４と、第一保険点数出力部１７０５とを有する保険点数計算装置１７００とを有し、施術量入力部１７１１と、制御部１７１２と、施術部１７１３と、施術終了情報入力部１７１４と、施術量出力部１７１５と、送信部１７１６とを有する施術装置１７１０をさらに有するシステムである。以下では、実施形態４との共通の構成は説明を省略し、本実施形態５に特徴的な構成について説明する。
＜実施形態５  構成の説明＞
＜実施形態５  施術終了情報入力部＞
【００９６】
「施術終了情報入力部」１７１４は、施術の終了を、施術者又は施術補助者が手動によって入力を受ける。施術終了情報は、施術量出力部１７１５が送信部１７１６に施術量を出力するための条件となっている。施術終了情報は、施術量出力部１７１５に送られる。施術終了情報は、施術装置に直接入力するものであっても、施術装置１７１０に接続された外部装置などのインターフェイスから情報の入力を受けるものであっても構わない。
＜実施形態５  施術終了情報＞
【００９７】
「施術終了情報」は、施術が終了したことを示す情報である。施術終了情報が施術量出力部１７１５に送信されない限り、施術量出力部１７１５は施術量を送信部に送信しないので、保険点数は取得されない。したがって、施術を途中で中断したような場合においても、施術終了情報の入力をしないでいれば、施術装置が施術を終了したものと誤認して保険点数を取得してしまうことを防止できる。例えば、歯科治療においては、何人も同時に診察を行い、医師が定期的に患者を診ながら施術を行う方法がよく用いられている。この場合、５分から１０分程度施術をしていない状態が継続する。この際に、施術装置が施術の終了したものと誤認することを防ぐ必要がある。本実施形態５のように、施術の終了は施術終了情報の入力があったときであるとすれば、施術装置の誤認を防止することができる。
【００９８】
施術量入力部１７１１により事前に入力した施術量に満たない場合であっても、施術終了情報を入力すれば、その時点で施術を終了することが可能である。この場合、施術装置１７１０は施術量入力部１７１１により入力された施術量ではなく、制御部１７１２が施術部１７１３の制御のために取得している実際に行われた施術内容に合わせて施術量を取得し、保険点数計算を行う仕組みにすることも可能である。
＜実施形態５  作用：ハードウェア構成（保険点数計算装置）＞
【００９９】
実施形態５の保険点数計算装置のコンピュータの構成は、実施形態２の図９の構成と同様なので、説明を省略する。
＜実施形態５  作用：ハードウェア構成（施術装置）＞
【０１００】
図１８に示すように、施術装置のコンピュータの構成は、ＣＰＵ１８０１と、ＨＤＤ、ＲＯＭ等の不揮発性メモリ１８０２と、主メモリ１８０３と、インターフェイス１８０４と、通信インターフェイス１８０５と、ディスプレイインターフェイス１８０６と、プリンタインターフェイス１８０７と、タッチ入力インターフェイス１８０８と、施術に用いる装置のインターフェイス等のデバイスインターフェイス１８０９とから構成されている。不揮発性メモリ１８０２には、施術の終了を入力するための施術終了情報入力プログラム、等のプログラムが格納されている。データとしては、施術量、施術終了情報などがある。これらのプログラムやデータは、主メモリ１５０３の保持領域に読み込まれ、作業領域で実行される。
その他のプログラムの構成については、実施形態４の図１５の構成と同様であるので、説明を省略する。
＜実施形態５  作用：処理の流れ＞
【０１０１】
図１９右図に示すように、施術装置では、施術終了情報入力ステップ１９０４、施術量出力ステップ１９０５が特徴的であり、その他の処理は、実施形態４と同様であるので、説明を省略する。すなわち、施術量入力ステップ１９０１、制御ステップ１９０２、施術ステップ１９０３、送信ステップ１９０６、終了判断ステップ１９０７の処理は実施形態４と同様である。
【０１０２】
また、図１９左図に示すように、保険点数計算装置側の処理ステップ１９０８〜１９１２までの処理も実施形態４の処理と同様であるので、説明を省略する。
【０１０３】
このように、実施形態５によれば、実施形態４に加えて、施術終了情報を入力可能としたので、施術終了情報を確実に施術量従量制保険点数計算システムに反映させることができる。
＜実施形態６＞
＜概要＞
【０１０４】
本実施形態６の発明は、施術種及び施術量という施術の具体的な内容に応じて保険点数を計算できる、施術量従量制保険点数計算システムである。
＜実施形態６  構成＞
【０１０５】
図２０に示すように、実施形態６の施術量従量制保険点数計算システムは、施術種取得部２００１と、施術量取得部２００２と、第二変換ルール保持部２００３と、第二保険点数取得部２００４と、第二保険点数出力部２００５とを有する保険点数計算装置２０００を有するシステムである。以下では、実施形態１から実施形態５のいずれか一と共通の構成は説明を省略し、本実施形態６に特徴的な構成について説明する。
＜実施形態６  構成の説明＞
＜実施形態６  施術種取得部＞
【０１０６】
「施術種取得部」２００１は、施術種を取得する。「施術種」は、施術の種類であり、施術量項目とは別のものである。例えば、歯科治療においては、初期う蝕の治療や、歯周疾患の治療といったものが施術種にあたる。内科治療においては、偏頭痛や逆流性食道炎といったものが施術種にあたる。施術種は、施術装置を通じてどのような施術が行われているのかということから判断することが可能である。また、施術履歴を通じて、連続して通院しているが完治していない症状がある場合には、再度その施術種についての施術が行われていると判断することが可能である。あるいは、施術者又は被施術者が施術装置に入力あるいは施術装置に接続された外部装置にあたるインターフェイスを通じて入力することが考えられる。
＜実施形態６  第二変換ルール保持部＞
【０１０７】
「第二変換ルール保持部」２００３は、施術種及び施術量を保険点数に変換するルールである第二変換ルールを保持している。「第二変換ルール」は、施術量及び施術種の両方を用いて、保険点数を算出するための条件式及び計算式である。
【０１０８】
図２１に示すように、施術種の種類に応じて第二変換ルールの条件を決めている。ここで、施術種１はＮ1＝単位時間あたりの保険点数×施術量のルールであり、施術種２はＮ2＝単位量あたりの保険点数×施術量のルール、施術種３はＮ3＝単位回数あたりの保険点数×施術量のルールを示している。
例えば、歯科治療について、施術種を初期う蝕とした場合は１分ごとに２点、施術種を歯周疾患とした場合は１分毎に５点というように、施術種に応じて単位時間あたりに異なる点数を条件として与えることが考えられる。この場合は、図２１の変換ルールの施術種１に相当する。さらに、例えば施術部を利用して歯を削る治療を行うとき、１分毎に５点、過酸化水素を用いた治療を行うとき、過酸化水素を用いた治療は過酸化水素１００ミリで１０点といった施術量に応じた条件も考えられる。例えば、歯科治療において、初期う蝕について施術時間１０分の施術量を、歯周疾患の治療について施術時間１０分の施術量を取得した場合、初期う蝕は１分ごとに２点なので、保険点数は２０点となり、歯周疾患は１分ごとに５点なので、保険点数はで５０点となる。歯を削る治療を１０分間、過酸化水素を２００ミリ利用する治療を行った場合、歯を削る治療については１分毎に５点なので保険点数は５０点となり、過酸化水素を用いた治療については１００ミリごとに１０点なので保険点数は２０点となる。
＜実施形態６  第二保険点数取得部＞
【０１０９】
「第二保険点数取得部」２００４は、施術種及び施術量の両方を用いて、第二変換ルールに基づき保険点数を取得する。初期う蝕と歯周疾患のいずれについてもそれぞれ３分間の施術を行い、その中で歯を削る治療が５分間行われ、過酸化水素が２００ミリ使用された場合の保険点数は、初期う蝕については２点×３＝６点、歯周疾患については５点×３＝１５点、歯を削る治療については５点×５＝２５点、過酸化水素を使用した治療については、１０点×２＝２０点、となり合計で６６点の保険点数が取得される。ここで、施術種なし、あるいは施術種が共通として保険点数を取得しても良い。
＜実施形態６  第二保険点数出力部＞
【０１１０】
「第二保険点数出力部」２００５は、第二保険点数取得部２００４が取得した保険点数を、保険点数計算装置の外に出力する。出力の方法は、ディスプレイに表示する方法や、プリンタを利用して印刷する方法などが考えられるが、方法は限定されない。
＜実施形態６  作用：ハードウェア構成（保険点数計算装置）＞
【０１１１】
図２２に示すように、保険点数計算装置のコンピュータの構成は、ＣＰＵ２２０１と、ＨＤＤ、ＲＯＭ等の不揮発性メモリ２２０２と、主メモリ２２０３と、インターフェイス２２０４とから構成されている。
不揮発性メモリ２２０２には、施術種を取得するための施術種取得プログラムと、施術量取得プログラムと、第二変換ルール保持部２００３に第二変換ルールを保持させておく第二変換ルール保持プログラムと、第二保険点数取得部２００４に施術量と第二変換ルールに基づいて保険点数を取得させるための第二保険点数取得プログラムと、取得した第二保険点数を保険点数計算装置の外部に出力するための第二保険点数出力プログラム、等のプログラムが格納されている。データとしては、施術種、施術量、施術終了情報、施術履歴、第二変換ルール、保険点数などがある。これらのプログラムやデータは、主メモリ２２０３の保持領域に読み込まれ、作業領域で実行される。また、インターフェイス２２０４には、通信インターフェイス（有線ＬＡＮ、インターネット、ブロードバンド等）２２０５、ディスプレイインターフェイス２２０６、プリンタインターフェイス２２０７、タッチ入力インターフェイス２２０８、施術に用いる外部装置のインターフェイス等の外部デバイスインターフェイス２２０９などがある。
＜実施形態６  処理の流れ＞
【０１１２】
図２３に示すように、施術種取得プログラムにより施術種を取得する施術種取得ステップを実行する（ステップ２３０１）。次に、施術量取得プログラムにより保険の対象となる医療行為に利用される施術装置の施術に利用する施術部を利用した施術の施術時間、施術に要する又は要した資材の量、施術の質、施術履歴のいずれか一以上である施術量を取得する施術量取得ステップを実行する（ステップ２３０２）。ここで、施術時間、施術に要する又は要した資材の量、施術の質、施術履歴については、上述したので、説明を省略する。
【０１１３】
次に施術種取得プログラムにより取得した施術種及び第二保険点数取得プログラムにより取得した施術量と、保持されている第二変換ルールとに基づいて第二保険点数を取得する保険点数取得ステップを実行する（ステップ２３０３）。ここで、施術量取得ステップ２３０２により、施術量の取得が行われると、次に、第二保険点数取得部２４０５に施術量の入力があるかを確認し、施術量の入力が確認されると、第二変換ルールに基づく保険点数の算出を行う。算出が済むと、保険点数が取得される。
次に第二保険点数出力プログラムにより取得した保険点数を出力する第二保険点数出力ステップを実行する（ステップ２３０４）。
以上の処理を施術が終了するまで（ステップ２３０５）、繰り返す。
【０１１４】
施術種の取得は、施術装置を通じて、具体的にどのような施術行為が行われたのかということから判断する方法が考えられる。また、施術履歴を通じて、前回の治療時に予定されていた治療内容を施術種として取得する方法も考えられる。しかし、当日の施術内容から判断する場合、施術内容の複雑な組み合わせから的確に判断できる条件を事前に設定しておく必要があるが、ある治療行為が常に一定の治療時間や治療内容となるわけではないので、施術種取得部２４０１において正確に施術種を取得できない恐れがある。次に、施術履歴を用いて判断する場合、救急の症状であるような場合や、予定されていたものに加えて新しい施術種について治療を行うことになった場合に、施術種取得部２００１において施術種を正確に取得できない恐れがある。
そこで、施術種は、施術者又は施術補助者によって、手動で入力されることが望ましい。手動で入力する方法は、施術装置に直接入力部を設けて入力する方法でも構わないが、施術装置に接続された外部装置や、ネットワークを通じて、施術装置と離れた場所から入力する方法でも構わない。
また、施術種を入力するのは、施術の前であっても、施術の終了後であっても構わない。
【０１１５】
このように、本実施形態６によれば、施術種及び施術量という施術の具体的な内容に応じて保険点数を計算できる、施術量従量制保険点数計算システムが実現できる。
＜実施形態７＞
＜概要＞
【０１１６】
本実施形態の発明は、実施形態６の特徴に加えて、施術装置から施術量を受信することを特徴とする、施術の具体的な内容に応じて保険点数を計算できる、施術量従量制保険点数計算システムである。
＜実施形態７  構成＞
【０１１７】
図２４に示すように、実施形態７の施術量従量制保険点数計算システムは、施術種取得部２４０１と、施術量取得部２４０２と、第二変換ルール保持部２４０４と、第二保険点数取得部２４０５と、第二保険点数出力部２４０６とを有する保険点数計算装置２４００を有し、さらに施術量を施術装置２４１０から受信する受信部２４０３を有するシステムである。以下では、実施形態６と共通の構成は説明を省略し、本実施形態７に特徴的な構成について説明する。
【０１１８】
施術種は、施術装置２４１０を介して取得することも可能であるし、施術装置２４１０以外のものから取得することも可能である。例えば、施術者又は施術補助者が手動により入力する方法が考えらえる。施術種情報は、施術装置２４１０から施術種取得部２４０１に送信されたものを受信する構造であってもよく、施術種取得手段は限定されない。
＜実施形態７  構成の説明＞
【０１１９】
実施形態７の施術装置２４１０は、上述した実施形態と同様であるので、説明を省略することとし、異なる点は施術装置２４１０から施術種情報を得ることができる構成となっている点である。
＜実施形態７  ハードウェアの構成（保険点数計算装置）＞
【０１２０】
図２５に示すように、保険点数計算装置のコンピュータの構成は、ＣＰＵ２５０１と、ＨＤＤ、ＲＯＭ等の不揮発性メモリ２５０２と、主メモリ２５０３と、インターフェイス２５０４と、通信インターフェイス２５０５と、ディスプレイインターフェイス２５０６と、プリンタインターフェイス２５０７と、タッチ入力インターフェイス２５０８と、施術に用いる外部装置のインターフェイス等の外部デバイスインターフェイス２５０９とから構成されている。不揮発性メモリ２５２０２には、施術装置２４１０から施術量を受信するための施術量受信プログラム、等のプログラムが格納されている。データとしては、施術種、施術量、施術終了情報、施術履歴、第二変換ルール、保険点数などがある。これらのプログラムやデータは、主メモリ２５０３の保持領域に読み込まれ、作業領域で実行される。その他のプログラムの構成は、実施形態６の図２２の構成と同様であるので、説明を省略する。
＜実施形態７  処理の流れ＞
【０１２１】
図２６に示すように、実施形態７の処理の流れは、実施形態６の処理の流れに施術種取得ステップ２６０３を付加したものであり、他の処理ステップは同様であるので、説明を省略する。
【０１２２】
このように、本実施形態７によれば、実施形態６に加え、施術量を施術装置から受信することにより、施術種及び施術量という施術の具体的な内容に応じて保険点数を計算できる、施術量従量制保険点数計算システムが実現できる。
＜実施形態８＞
＜概要＞
【０１２３】
本実施形態８の発明は、前記実施形態７のシステムを有していることに加えて、施術装置に送信部を有することを特徴とする、施術量従量制保険点数計算システムである。
＜実施形態８  構成＞
【０１２４】
図２７に示すように、本実施形態８の施術量従量制保険点数計算システムは、施術種取得部２７０１と、施術量取得部２７０２と、受信部２７０３と、第二変換ルール保持部２７０４と、第二保険点数取得部２７０５と、第二保険点数出力部２７０６とを有する保険点数計算装置２７００を有し、さらに施術装置２７１０に備えられた施術部２７１１と送信部２７１２とを有するシステムである。以下では、実施形態７との共通の構成は説明を省略し、本実施形態８に特徴的な構成について説明する。
＜実施形態８  作用：ハードウェアの構成（保険点数計算装置）＞
【０１２５】
本実施形態８は、実施形態７に示す保険点数計算装置のハードウェアと同様であり、施術装置のハードウェアは施術種情報の処理を行う点を除いては実施形態３の図１２と同様であるので、説明を省略する。
＜実施形態８  作用：処理の流れ＞
【０１２６】
図２８に示すような実施形態８の施術量従量制保険点数計算システムの処理の流れは、実施形態７と同じであり、施術装置からの施術量の送信処理の流れは、実施形態３に施術種情報を加えた処理と同様であるので、説明を省略する。
【０１２７】
このように、実施形態８によれば、実施形態７に加え、施術装置に送信部を有するので、施術種及び施術量という施術の具体的な内容に応じて保険点数を計算できる、送受信可能な施術量従量制保険点数計算システムが実現できる。
＜実施形態９＞
＜概要＞
【０１２８】
本実施形態９の発明は、実施形態８の特徴に加えて、施術装置に入力した施術量に合わせ施術部の動作が制御されることを特徴とする、施術量従量制保険点数計算システムである。
＜実施形態９  構成＞
【０１２９】
図２９に示すように、実施形態９の施術量有料制保険点数計算システムは、施術種取得部２９０１と、施術量取得部２９０２と、受信部２９０３と、第二変換ルール保持部２９０４と、第二保険点数取得部２９０５と、第二保険点数出力部２９０６とを有する保険点数計算装置２９００を有し、施術装置２９１０に備えられた、施術量入力部２９１１と、制御部２９１２と、施術部２９１３と、施術量出力部２９１４と、送信部２９１５とをさらに有するシステムである。以下では、実施形態８との共通の構成は説明を省略し、本実施形態９に特徴的な構成について説明する。
＜実施形態９  作用：ハードウェアの構成＞
【０１３０】
実施形態９の保険点数計算装置のハードウェア構成は、実施形態８の図２５と同様であるので、説明を省略する。また、実施形態９の施術装置のハードウェア構成は、実施形態４の図１５に施術種情報の処理を加えたものと同様であるので、説明を省略する。
＜実施形態９  作用：処理の流れ＞
【０１３１】
図３０に示すような実施形態９の施術量従量制保険点数計算システムの処理の流れは、実施形態７と同じであり、施術装置からの施術量の送信処理の流れは、実施形態４の図１５に施術種情報の処理を加えたものと同様であるので、説明を省略する。
【０１３２】
このように、実施形態９によれば、実施形態８の特徴に加えて、施術装置に入力した施術量に合わせ施術部の動作が制御される施術量従量制保険点数計算システムを実現できる。
＜実施形態１０＞
＜概要＞
【０１３３】
本実施形態１０の発明は、実施形態９の特徴に加えて、施術終了情報の入力が可能である点を特徴とする、施術量従量制保険点数計算システムである。
＜実施形態１０  構成＞
【０１３４】
図３１に示すように、実施形態１０の施術量従量制保険点数計算システムは、施術種取得部施術部３１０１と、施術量取得部３１０２と、受信部３１０３と、第二変換ルール保持部３１０４と、第二保険点数取得部３１０５と、第二保険点数出力部３１０６とを有する保険点数計算装置３１００を有し、施術装置３１１０に備えられた、施術量入力部３１１１と、制御部３１１２と、施術部３１１３と、施術量出力部３１１５と、送信部３１１６とを有し、さらに施術終了情報入力部３１４を有し、施術量出力部３１１５は施術量終了情報の入力後に出力するシステムである。以下では、実施形態９との共通の構成は説明を省略し、本実施形態９に特徴的な構成について説明する。
＜実施形態１０  作用：ハードウェアの構成＞
【０１３５】
実施形態１０の保険点数計算装置のハードウェア構成は、実施形態７の図２５と同様であるので、説明を省略する。また、実施形態１０の施術装置のハードウェア構成は、実施形態５の図１８に施術種情報の処理を加えたものと同様であるので、説明を省略する。
＜実施形態１０  作用：処理の流れ＞
【０１３６】
図３２に示すような実施形態１０の施術量従量制保険点数計算システムの処理の流れは、実施形態９と同じであり、施術装置からの施術量の送信処理の流れは、実施形態５に施術種情報の処理を加えたものと同様であるので、説明を省略する。
【０１３７】
図３２の処理において、施術種と施術終了情報については、特徴的な処理であるので、説明する。
【０１３８】
施術終了情報は、施術種ごとに施術の終了を判断できるものであってもよい。例えば、初期う蝕と歯周疾患の施術を行う場合、初期う蝕の施術について終了した時点で、初期う蝕の施術種について一旦施術終了情報を入力し、歯周疾患の施術が終了したときに、歯周疾患施術について施術終了情報を入力することが考えられる。この場合、施術終了情報入力部には、施術者又は施術補助者により施術種ごとに施術終了情報を入力できるように施術終了情報入力時にいずれの施術種についての施術終了情報なのかを選択できるような選択部を備えておく必要がある。
【０１３９】
施術種は異なるが、同一の施術量項目に該当する同一の施術内容を行う場合には、いずれの施術種についての施術内容なのか施術種取得部及び施術量取得部において判断困難となるので、施術種ごとに施術の終了を入力できるようにすることで、いずれの施術種についての施術内容なのか混同を生じる恐れがなくなる。
【０１４０】
このように、実施形態１０によれば、実施形態９に加えて、施術装置に入力した施術量に合わせ施術部の動作が制御される施術量従量制保険点数計算システムを実現できる。
＜実施形態１１＞
＜概要＞
【０１４１】
本実施形態１１の発明は、保険属性情報、施術種及び施術量という施術の具体的な内容に応じて保険点数を計算できる、施術量従量制保険点数計算システムである。
＜実施形態１１  構成＞
【０１４２】
図３３に示すように、実施形態１１の施術量従量制保険点数計算システムは、保険属性情報取得部３３０１と、施術種取得部３３０２と、施術量取得部３３０３と、第三変換ルール保持部３３０４と、第三保険点数取得部３３０５と、第三保険点数出力部３３０６とを有する保険点数計算装置３３００と、施術装置とを有するシステムである。以下では、実施形態１から実施形態１０のいずれか一と共通の構成は説明を省略し、本実施形態に特徴的な構成について説明する。
＜実施形態１１  構成の説明＞
＜実施形態１１  保険属性情報取得部＞
【０１４３】
「保険属性情報取得部」３３０１は、保険の種類又は／及び属性の情報である保険属性情報の入力を受け付ける。
＜実施形態１１  保険属性情報＞
【０１４４】
「保険属性情報」は、例えば、国民健康保険、社会保険、組合保険などの保険の種類と、何割負担かという保険の属性の一つ以上によって構成されている。保険属性によって、保険の適用範囲が異なってきたり、被施術者の負担率が異なってくることがある。保険属性情報は、施術者又は施術補助者が施術装置に直接入力する方法が考えられるが、施術装置に接続された外部装置であるインターフェイスを通じて、あるいはネットワークを通じて施術装置に入力される方法が考えられる。保険情報を施術者又は施術補助者が入力する方法としては、キーボードなどを利用して入力する方法が考えられる。この他に、例えば、診察券に関連させた情報として保険情報を施術履歴に登録しておけば、被施術者が施術の受付を行うにあたり診察券の情報を獲得したときに、施術者又は施術補助者が保険属性情報が獲得するという方法が考えらえる。保険属性情報取得部が保険属性情報を取得できるのであれば、どのような方法であってもよい。
＜実施形態１１  第三変換ルール保持部＞
【０１４５】
「第三変換ルール保持部」３３０４は、保険属性情報、施術種、及び施術量を保険点数に変換するルールである第三変換ルールを保持する。「第三変換ルール」は、保険属性情報と施術量と施術種の三つの情報を用いて、保険点数を算出するための条件式及び計算式である。
【０１４６】
図３４に示すように、保険属性情報と施術種と施術量を用いて第三変換ルールの条件を決めている。ここで、第三変換ルールは、図２１の第二変換ルールに加えて、保険属性情報の保険種類の負担割合に応じた係数を掛けて保険点数を算出している。例えば、変換ルール「Ｎ４＝単位時間あたりの保険点数×施術量×０．３」は、保険の種類（保険１）が国民健康保険や社会保険を示しており、図２１の施術種１がＮ1＝単位時間あたりの保険点数×施術量の変換ルールに保険の負担割合（３０％）の係数０．３を掛けたものである。図３４では、保険１は負担割合が３０％の保険、保険２は負担割合が２０％の保険、保険３は負担割合が１０％の保険を示している。このように、保険の負担割合に応じて保険点数を算出ことができるが、保険点数の負担割合はこれに限定されるものではなく、適宜変更は可能である。
【０１４７】
例えば、国民健康保険の場合は３割負担であり、介護保険の場合は２割負担あるいは１割負担となっており、施術量と施術種から得られた保険点数に対して指定の負担分にする条件式が考えられる。例えば、歯科治療について、施術種を初期う蝕とした場合は１分ごとに２点、施術種を歯周疾患とした場合は１分毎に５点というように、施術種に応じて単位時間あたりに異なる点数を条件として与えることが考えられる。さらに、例えば施術部を利用して歯を削る治療を行うとき、１分毎に５点、過酸化水素を用いた治療を行うとき、過酸化水素を用いた治療は過酸化水素１００ミリで１０点といった施術量に応じた条件も考えられる。たとえば、歯科治療において、初期う蝕について施術時間１０分の施術量を、歯周疾患の治療について施術時間１０分の施術量を取得した場合、初期う蝕は１分ごとに２点なので、保険点数は２０点となり、歯周疾患は１分ごとに５点なので、保険点数はで５０点となる。歯を削る治療を１０分間、過酸化水素を２００ミリ利用する治療を行った場合、歯を削る治療については１分毎に５点なので保険点数は５０点となり、過酸化水素を用いた治療については１００ミリごとに１０点なので保険点数は２０点となる。
＜実施形態１１  第三保険点数取得部＞
【０１４８】
「第三保険点数取得部」３３０５は、取得した保険属性情報、施術量と及び、施術種と、保持されている第三変換ルールとに基づいて保険点数を取得する。すなわち、保険属性情報と施術量と施術種の三つの情報を用いて、第三変換ルールに基づき保険点数を取得する。例えば、歯科治療において、初期う蝕について施術時間１０分の施術量を、歯周疾患の治療について施術時間１０分の施術量を取得した場合、初期う蝕は１分ごとに２点の保険点数で２０点、歯周疾患は１分ごとに５点の保険点数で５０点、となるので、合計の保険点数は７０点となる。これに、保険属性情報に基づいて負担分が定められるので、例えば国民健康保険の３割負担の場合は、最終的な患者負担の保険点数は２１点となり、保険医療機関に対しては残りの４９点を請求することになる。
＜実施形態１１  第三保険点数出力部＞
【０１４９】
「第三保険点数出力部」３３０６は、第三保険点数取得部３３０５が取得した保険点数を、保険点数計算装置の外部に出力する。出力の方法は、ディスプレイに表示する方法や、プリンタを利用して印刷する方法などが考えられるが、方法は限定されない。
＜実施形態１１  作用：ハードウェアの構成（保険点数計算装置）＞
【０１５０】
図３５に示すように、保険点数計算装置のコンピュータの構成は、ＣＰＵ３５０１と、不揮発性メモリ３５０２と、主メモリ３５０３と、インターフェイス３５０４とから構成されている。不揮発性メモリ３５０２には、保険属性情報取得部３３０１が保険属性情報を取得するための保険属性情報取得プログラムと、施術種取得プログラムと、施術量取得プログラムと、第三変換ルール保持部３３０４に第三変換ルールを保持させておくための第三変換ルール保持プログラムと、第三保険点数取得部３３０５が施術種及び施術量から第三変換ルールに基づき第三保険点数を取得するための第三保険点数取得プログラムと、保険点数を外部に出力するための第三保険点数出力プログラム、等のプログラムが格納されている。データとしては、保険属性情報、施術種、施術量、施術終了情報、施術履歴、第三変換ルール、保険点数などがある。これらのプログラムやデータは、主メモリ３５０３の保持領域に読み込まれ、作業領域で実行される。また、インターフェイス３５０４には、通信インターフェイス（有線ＬＡＮ、インターネット、ブロードバンド等）３５０５、ディスプレイインターフェイス３５０６、プリンタインターフェイス３５０７、タッチ入力インターフェイス３５０８、施術に用いる外部装置のインターフェイス等の外部デバイスインターフェイス３５０９などがある。
＜実施形態１１  作用：処理の流れ＞
【０１５１】
図３６に示すように、まず保険属性情報取得プログラムにより保険属性情報取得ステップを実行する（ステップ３６０１）。次に施術種取得プログラムにより施術種取得ステップを実行する（ステップ３６０２）。次に施術量取得プログラムにより施術量取得ステップを実行する（ステップ３６０３）。次に第三保険点数取得プログラムにより第三保険点数取得ステップを実行する（ステップ３６０４）。次に第三保険点数出力プログラムにより第三保険点数出力ステップを実行する（ステップ３６０５）。
以上の処理を、施術が終了するまで（ステップ３６０６）繰り返す。
【０１５２】
保険属性情報は、施術者又は施術補助者が施術装置に直接入力する方法が考えられるが、施術装置に接続された外部装置であるインターフェイスを通じて、あるいはネットワークを通じて施術装置に入力される方法が考えられる。保険情報を施術者又は施術補助者が入力する方法としては、キーボードなどを利用して入力する方法が考えられる。この他に、例えば、診察券に関連させた情報として保険情報を施術履歴に登録しておけば、被施術者が施術の受付を行うにあたり診察券の情報を獲得したときに、施術者又は施術補助者が保険属性情報を獲得するという方法が考えられる。保険属性情報取得部３３０１が保険属性情報を取得できるのであれば、どのような方法であってもよい。保険属性情報の取得時期（タイミング）は、施術前であっても施術後であってもよい。
【０１５３】
このように、本実施形態１１によれば、保険属性情報、施術種及び施術量という施術の具体的な内容に応じて保険点数を計算できる、施術量従量制保険点数計算システムを実現できる。
＜実施形態１２＞
＜概要＞
【０１５４】
本実施形態１２の発明は、実施形態１１の特徴に加えて、施術装置から施術量を受信することを特徴とする、施術の具体的な内容に応じて保険点数を計算できる、施術量従量制保険点数計算システムである。
＜実施形態１２  構成＞
【０１５５】
図３７に示すように、実施形態１２の施術量従量制保険点数計算システムは、保険属性情報取得部３７０１と、施術種取得部３７０２と、施術量取得部３７０３と、受信部３７０４と、第三変換ルール保持部３７０５と、第三保険点数取得部３７０６と、第三保険点数出力部３７０７を有する保険点数計算装置３７００を有し、さらに受信部３７０４において施術装置３７１０からの施術量を受信するシステムである。以下では、実施形態１１との共通の構成は説明を省略し、本実施形態１２に特徴的な構成について説明する。
＜実施形態１２  構成の説明＞
【０１５６】
「受信部」３７０４は、保険の対象となる医療行為に利用される施術装置の施術に利用する施術部を利用した施術の施術時間、施術に要する又は要した資材の量、施術の質、施術履歴のいずれか一以上である施術量を施術装置から受信する。ここで、それぞれの施術量の取得については、上述したので、説明を省略する。その他の構成は、実施形態１１の図３３の構成と同様であるので、詳細説明を省略する。
【０１５７】
実施形態１２の施術装置３７１０は、上述した実施形態と同様であるので、説明を省略することとし、異なる点は施術装置３７１０から施術種情報を得ることができる構成となっている点である。
＜実施形態１２  ハードウェアの構成（保険点数計算装置）＞
【０１５８】
図３８に示すように、保険点数計算装置のコンピュータの構成は、ＣＰＵ３８０１と、不揮発性メモリ３８０２と、主メモリ３８０３と、インターフェイス３８０４と、通信インターフェイス３８０５と、ディスプレイインターフェイス３８０６と、プリンタインターフェイス３８０７と、タッチ入力インターフェイス３８０８と、施術に用いる外部装置のインターフェイス等の外部デバイスインターフェイス３８０９などから構成されている。不揮発性メモリ３８０２には、受信プログラム、等のプログラムが格納されている。データとしては、保険属性情報、施術種、施術量、施術終了情報、施術履歴、第三変換ルール、保険点数などがある。これらのプログラムやデータは、主メモリ３８０３の保持領域に読み込まれ、作業領域で実行される。その他のプログラムは実施形態１１の図３５の構成と同様であるので、説明を省略する。
＜実施形態１３  作用：処理の流れ＞
【０１５９】
図３９右図に示すように、施術装置側では、施術装置の電源がＯＮとなり、施術プログラムにより施術ステップが開始実行されると、施術開始情報が記憶され、施術ステップ３９０１が終了するまで（ステップ３９０２）処理を繰り返す。施術が終了すると、施術量及び施術終了情報がメモリに記憶される。これらの施術量および施術終了情報が保険点数計算装置側に送信される。
【０１６０】
図３９左図に示すように、保険点数計算装置側では、まず保険属性情報取得プログラムにより保険属性情報取得ステップを実行する（ステップ３９０３）。次に施術種取得プログラムにより施術種取得ステップを実行する（ステップ３９０４）。次に受信プログラムにより施術装置からの施術量を受信する受信ステップを実行する（ステップ３９０５）。次に受信した施術量を、施術量取得プログラムにより施術量取得ステップを実行する（ステップ３９０６）。次に第三保険点数取得プログラムにより第三保険点数取得ステップを実行する（ステップ３９０７）。次に第三保険点数出力プログラムにより第三保険点数出力ステップを実行する（ステップ３９０８）。
以上の処理を、施術が終了するまで（ステップ３９０９）繰り返す。
【０１６１】
このように、本実施形態１２によれば、実施形態１１に加えて、施術装置から施術量を受信することにより、保険属性情報、施術種及び施術量という施術の具体的な内容に応じて保険点数を計算できる、施術量従量制保険点数計算システムを実現できる。
＜実施形態１３＞
＜概要＞
【０１６２】
本実施形態１３の発明は、前記実施形態１２のシステムを有していることに加えて、施術装置に送信部を有することを特徴とする、施術量従量制保険点数計算システムである。
＜実施形態１３  構成＞
【０１６３】
図４０に示すように、実施形態１３の施術量従量制保険点数計算システムは、保険属性情報取得部４００１と、施術種取得部４００２と、施術量取得部４００３と、受信部４００４と、第三変換ルール保持部４００５と、第三保険点数取得部４００６と、第三保険点数出力部４００７とを有する保険点数計算装置４０００を有し、施術装置４０１０に備えられた施術部４０１１と送信部４０１２とを有するシステムである。以下では、実施形態１２との共通の構成は説明を省略し、実施形態に特徴的な構成について説明する。
＜実施形態１３  構成の説明＞
【０１６４】
実施形態１３の施術量従量制保険点数計算システムの構成は、実施形態１２の図３８の構成と同様であるので、説明を省略する。施術装置４０１０の構成は、保険属性情報と施術種情報を扱う点を除いては、実施形態３の構成と同様であるので、説明を省略する。
＜実施形態１３  作用：ハードウェア構成（保険点数計算装置）＞
【０１６５】
実施形態１３の保険点数計算装置のハードウェア構成は、実施形態１２の図３８のハードウェア構成と同様であるので、説明を省略する。
＜実施形態１３  作用：ハードウェア構成（施術装置）＞
【０１６６】
実施形態１３の施術装置のハードウェア構成は、保険属性情報と施術種情報を扱う点を除いては、実施形態３の図１２のハードウェア構成と同様であるので、説明を省略する。
＜実施形態１３  作用：処理の流れ＞
【０１６７】
図４１右図に示すように、施術装置側では、施術装置の電源がＯＮとなり、施術プログラムにより施術ステップが開始実行されると（ステップ４１０１）、施術開始情報が記憶され、送信プログラムにより送信ステップが実行される（ステップ４１０２）。
施術ステップ４１０１、送信ステップ４１０２が終了するまで（ステップ４１０３）処理を繰り返す。施術が終了すると、施術量及び施術終了情報がメモリに記憶される。これらの施術量および施術終了情報が保険点数計算装置側に送信される。ここで、施術量等の送信は施術が終了するまで施術装置内の主メモリに記憶しておき、施術が終了した後に、まとめて送信しても良い。また、施術を行っている間に順次に施術量などのデータを送信しても良い。
【０１６８】
図４１左図に示すように、保険点数計算装置側では、まず保険属性情報取得プログラムにより保険属性情報取得ステップを実行する（ステップ４１０４）。次に施術種取得プログラムにより施術種取得ステップを実行する（ステップ４１０５）。次に受信プログラムにより施術装置からの施術量を受信する受信ステップを実行する（ステップ４１０６）。次に受信した施術量を、施術量取得プログラムにより施術量取得ステップを実行する（ステップ４１０７）。次に第三保険点数取得プログラムにより第三保険点数取得ステップを実行する（ステップ４１０８）。次に第三保険点数出力プログラムにより第三保険点数出力ステップを実行する（ステップ４１０９）。
以上の処理を、施術が終了するまで（ステップ４１１０）繰り返す。
【０１６９】
このように、本実施形態１３によれば、実施形態１２に加えて、施術の具体的な内容に応じて保険点数を計算できる、施術量の送受信可能な施術量従量制保険点数計算システムを実現できる。
＜実施形態１４＞
＜概要＞
【０１７０】
本実施形態１４の発明は、実施形態１３の特徴に加えて、施術装置に入力した施術量に合わせ施術部の動作が制御されることを特徴とする、施術量従量制保険点数計算システムである。
＜実施形態１４  構成＞
【０１７１】
図４２に示すように、実施形態１４の施術量従量制保険点数計算システムは、保険属性情報取得部４２０１と、施術種取得部４２０２と、施術量取得部４２０３と、受信部４２０４と、第三変換ルール保持部４２０５と、第三保険点数取得部４２０６と、第三保険点数出力部４２０７とを有する保険点数計算装置４２００を有し、施術装置４２１０に備えられた、施術量入力部４２１１と、制御部４２１２と、施術部４２１３と、施術量出力部４２１４と、送信部４２１５とをさらに有するシステムである。以下では、実施形態１３との共通の構成は説明を省略し、本実施形態に特徴的な構成について説明する。
＜実施形態１４  構成の説明＞
【０１７２】
実施形態１４の施術量従量制保険点数計算システムの構成は、実施形態１２の図４０の構成と同様であるので、詳細説明を省略する。施術装置４２１０の構成は、保険属性情報と施術種情報を扱う点を除いては、実施形態４の構成と同様であるので、説明を省略する。
＜実施形態１４  作用：ハードウェア構成（保険点数計算装置）＞
【０１７３】
実施形態１４の保険点数計算装置のハードウェア構成は、実施形態１２の図３８のハードウェア構成と同様であるので、説明を省略する。
＜実施形態１４  作用：ハードウェア構成（施術装置）＞
【０１７４】
実施形態１４の施術装置のハードウェア構成は、保険属性情報と施術種情報を扱う点を除いては、実施形態４の図１５のハードウェア構成と同様であるので、説明を省略する。
＜実施形態１４  処理の流れ＞
【０１７５】
図４３右図に示すように、施術装置側では、施術装置の電源がＯＮとなり、施術量入力ステップ４３０１、制御ステップ４３０２、施術ステップ４３０３、施術量出力ステップ４３０４、送信ステップ４３０５を実行する。以上の処理が終了するまで（ステップ４３０６）上述した処理を繰り返す。
【０１７６】
図４３左図に示すように、保険点数計算装置側では、まず保険属性情報取得プログラムにより保険属性情報取得ステップを実行する（ステップ４３０７）。次に施術種取得プログラムにより施術種取得ステップを実行する（ステップ４３０８）。次に受信プログラムにより施術装置からの施術量を受信する受信ステップを実行する（ステップ４３０９）。次に受信した施術量を、施術量取得プログラムにより施術量取得ステップを実行する（ステップ４３１０）。次に第三保険点数取得プログラムにより第三保険点数取得ステップを実行する（ステップ４３１１）。次に第三保険点数出力プログラムにより第三保険点数出力ステップを実行する（ステップ４３１２）。
以上の処理を、施術が終了するまで（ステップ４３１３）繰り返す。
【０１７７】
このように、本実施形態１４によれば、実施形態１３に加えて、施術量の入力に応じて施術部を制御することにより、施術の具体的な内容に応じて保険点数を計算できる、施術量従量制保険点数計算システムを実現できる。
＜実施形態１５＞
＜概要＞
【０１７８】
本実施形態１５の発明は、実施形態１４の特徴に加えて、施術終了情報の入力が可能である点を特徴とする、施術量従量制保険点数計算システムである。
＜実施形態１５  構成＞
【０１７９】
図４４に示すように、実施形態１５の施術量従量制保険点数計算システムは、保険属性情報取得部４４０１と、施術種取得部４４０２と、施術量取得部４４０３と、受信部４４０４と、第三変換ルール保持部４４０５と、第三保険点数取得部４４０６と、第三保険点数出力部４４０７とを有する保険点数計算装置４４００を有し、施術装置４４１０に備えられた、施術量入力部４４１１と、制御部４４１２と、施術部４４１３と、施術終了情報入力部４４１４と、施術量出力部４４１５と、送信部４４１６とをさらに有するシステムである。以下では、実施形態１４との共通の構成は説明を省略し、本実施形態１５に特徴的な構成について説明する。
＜実施形態１５  構成の説明＞
【０１８０】
実施形態１５の施術量従量制保険点数計算システムの構成は、実施形態１２の図４０の構成と同様であるので、詳細説明を省略する。
＜実施形態１５  作用：ハードウェア構成（保険点数計算装置）＞
【０１８１】
実施形態１３の保険点数計算装置のハードウェア構成は、実施形態１２の図３８のハードウェア構成と同様であるので、説明を省略する。
＜実施形態１５  作用：ハードウェア構成（施術装置）＞
【０１８２】
実施形態１５の施術装置のハードウェア構成は、保険属性情報と施術種情報を扱う点を除いては、実施形態４の図１５のハードウェア構成と同様であるので、説明を省略する。
＜実施形態１５  作用：処理の流れ＞
【０１８３】
図４５右図に示すように、施術装置側では、施術装置の電源がＯＮとなり、施術量入力ステップ４５０１、制御ステップ４５０２、施術ステップ４５０３、施術終了情報入力ステップ４５０４、施術量出力ステップ４５０５、送信ステップ４５０６を実行する。以上の処理を終了まで（ステップ４５０７）繰り返す。詳細は上述したので、ここでは簡単に説明した。
【０１８４】
図４５左図に示すように、保険点数計算装置側では、まず保険属性情報取得プログラムにより保険属性情報取得ステップを実行する（ステップ４５０８）。次に施術種取得プログラムにより施術種取得ステップを実行する（ステップ４５０９）。次に受信プログラムにより施術装置からの施術量を受信する受信ステップを実行する（ステップ４５１０）。次に受信した施術量を、施術量取得プログラムにより施術量取得ステップを実行する（ステップ４５１１）。次に第三保険点数取得プログラムにより第三保険点数取得ステップを実行する（ステップ４５１２）。次に第三保険点数出力プログラムにより第三保険点数出力ステップを実行する（ステップ４５１３）。
以上の処理を、施術が終了するまで（ステップ４５１４）繰り返す。
【０１８５】
このように、本実施形態１５によれば、実施形態１４に加えて、施術終了情報の入力が可能となるので、確実な施術終了情報を送信して、施術の具体的な内容に応じて保険点数を計算できる、施術量従量制保険点数計算システムを実現できる。
＜実施形態１６パターン１＞
＜概要＞
【０１８６】
本実施形態の発明は、前記実施形態のシステムを有しており、かつ、保険点数の代わりに施術対価を取得することを特徴とする、施術量従量制施術対価計算システムである。
＜実施形態１６  パターン１＞
＜実施形態１６パターン１  構成＞
【０１８７】
図５３に示すように、実施形態１６のパターン１の施術量従量制施術対価計算システムは、施術量取得部５３０１と、第一変換ルール保持部５３０２と、第一施術対価取得部５３０３と、第一施術対価出力部５３０４とを有する施術対価計算装置５３００を有するシステムである。以下では、実施形態１から実施形態１５のいずれか一と共通の構成は説明を省略し、本実施形態１６に特徴的な構成について説明する。
＜実施形態１６パターン１  構成の説明＞
＜実施形態１６パターン１  施術量取得部＞
【０１８８】
「施術量取得部」５３０１は、保険の対象となる医療行為に利用される施術装置の施術に利用する施術部を利用した施術の施術時間、施術に要する又は要した資材の量、施術の質、施術履歴のいずれか一以上である施術量を取得する。本実施形態における施術は、保険診療ではなく自由診療の場合を想定している。
【０１８９】
あるいは、保険の対象となる医療行為にかぎらず、施術者が被施術者に対して、施術装置を用いて施術を行う場合の、施術装置の施術に利用する施術部を利用した施術の施術時間施術に要する又は要した資材の量、施術の質、施術履歴のいずれか一つ以上である施術量でも構わない。
【０１９０】
例えば、エステなどの施術において、施術者が赤外線照射装置や超音波発生装置を用いて施術を行う場合や、アロマオイルやマッサージ用の薬剤を用いた施術を行う場合が考えられる。あるいは、手足の爪に加工を施すいわゆるネイルサロンで、施術者が被施術者の爪に塗布材を用いた施術を行う場合や、樹脂を硬化させるための紫外線照射装置や同一機械を塗布材を乾燥させるための温熱装置として利用する場合などが考えられる。あるいは、美容院や理髪店において施術に用いられる水や整髪料などの薬剤や、パーマ液や染髪料を用いた施術を行う場合が考えらえる。あるいは、スポーツジムなどにおいて、各種トレーニング機材を用いてトレーニング方法を指導する場合に、各種トレーニング機材を施術装置ととらえ、トレーニング方法の指導に基づき各種トレーニング機材を用いたトレーニングを行わせることを施術内容と考えることもできる。この他にも施術者と被施術者の間で、施術装置を用いた施術が行われている状況に類似する場合において、施術量従量制施術対価計算システムを利用することは有効である。
＜実施形態１６パターン１  施術時間＞
【０１９１】
「施術時間」は、施術にあたって、施術部を利用して施術行為を行っている時間のことである。施術量項目の一種である。例えば、歯科における治療においては、歯を削る器具の回転部分を駆動させるモーターの回転時間を基準に測定することが考えられる。１分間の回転数を測定しておき、施術中はモーターの回転数を計測することで、設定された１分当たりの回転数から施術時間を算出する方法や、モーターの回転開始時点から時間の測定が開始され、モーターの回転終了で時間の測定が終了されて、施術時間が測定されるという方法等が考えられる。施術対価を取得するために用いられる施術時間は、１分を単位時間とすることが考えられるが、単位時間は、秒単位であってもかまわないし、１０分単位、１５分単位、１時間単位など、施術の性質にあわせて設定してよい。
【０１９２】
あるいは、エステなどの施術における場合は、施術者が赤外線照射装置や超音波発生装置を用いて施術を行う場合の時間や、ローラー機能等を持った装置を利用して施術を行う時間が施術時間にあたる。この場合、装置を利用している時間や、ローラー等の回転数や、施術部を駆動させるモーターの回転数などによって時間を測定することが考えられる。
【０１９３】
あるいは、いわゆるネイルサロンでの施術の場合は、樹脂を硬化させるために用いられたり、乾燥させるために温熱機としても用いられる、紫外線照射装置の利用時間によって、施術時間を測定する方法が考えられる。
【０１９４】
あるいは、美容院や理髪店において、パーマをかける際に用いられる加熱器であったり、施術の際に髪を濡らすためのシャンプー台の利用時間を、施術時間として測定することが考えられる。
【０１９５】
あるいは、スポーツジムなどにおいてトレーニング方法の指導に基づき各種トレーニング機材を用いた時間を、施術時間として測定することが考えられる。
＜実施形態１６パターン１  施術に要する資材の量＞
【０１９６】
「施術に要する資材の量」は、これから行う施術において必要となる資材の量のことである。施術量項目の一種である。例えば、歯科において歯形をとる行為などの場合には、必要となる石膏の量は型取りをする歯の本数や部分によって事前に決まっている。あるいは、使用する麻酔の量は事前に決められている。このように、症状に対する施術計画をもって事前に施術に要する資材が決定されている場合や、施術方法によって、利用する資材の量があらかじめ決まっている場合が考えられる。この場合、施術履歴や施術方法の選択によって、前記施術装置が自動的に、施術に要する資材の量を測定する方法が考えられる他、施術者あるいは施術補助者が施術前にあらかじめ施術装置に施術を開始する以前に、施術行為時点の施術計画に沿って手動で入力する方法が考えられる。資材の例としては、過酸化水素などの薬品を想定しているが、施術を行うにあたり、必要不可欠なものに限られず、施術を快適に行う上で必要な物も含まれる。
【０１９７】
あるいは、美容院や理髪店における施術の場合には、全自動で髪を洗浄するシャンプー台を用いて施術を行う際に使用される洗髪料等が資材の量にあたる。この場合、使用量は施術前に設定しておくことが考えらえるので、施術前に施術に要する資材の量を決定することが可能である。したがって、施術量として施術に要する資材の量を考えることが可能である。
＜実施形態１６パターン１  施術に要した資材の量＞
【０１９８】
「施術に要した資材の量」は、施術装置によって行われた施術により消費された資材の量のことである。施術量項目の一種である。例えば、施術部の先端から薬品を出すことによって、施術部に塗布したり施術部周辺に薬をかけたりすることが考えられるところに、利用された資材の量は、施術装置内に含有されていた薬の重さの施術前後での差分値から測定することが考えられる。資材の例としては、過酸化水素などの薬品を想定している。単位量は、施術に用いる資材に合わせて設定することが可能である。
【０１９９】
あるいは、美容院や理髪店における施術の場合には、全自動で髪を洗浄するシャンプー台を用いて施術を行う際に使用される洗髪料等が資材の量にあたる。施術装置内に設置されたポンプタンク内に収められた液体の量の、施術前と施術後を測定した差分値を、施術に要した資材の量として考えることができる。
＜実施形態１６パターン１  施術の質＞
【０２００】
「施術の質」は、使用する施術装置（施術機械）や施術に用いられる手段に応じて定められる指標のことである。施術量項目の一種である。例えば、歯科において歯周疾患の治療を行うにあたり過酸化水素を用いた場合の濃度の濃淡が施術の質の例として挙げられる。この他に、レーザー出力装置を利用する場合に、レーザーの出力の高低や、レーザー出力を行わない状態でレーザー出力装置を用いたという施術手段の選択といったものが、施術の質として考えられる。施術の質とされるものは、ここに記載した例示に限定されない。施術の質を測定する場合には、使用時間や使用量といったものは関係してこないので、施術開始時に施術者が手動で入力する方法や、あるいは、施術装置がどのような機材をどのような態様で使用しているかを識別することによって、施術の質を特定する方法が考えられる。
【０２０１】
あるいは、エステなどの施術における場合は、例えば、施術者が赤外線照射装置を用いて施術を行う場合の、赤外線照射の強さや、超音波発生装置を用いて施術を行う場合の超音波の強さなどが、施術の質にあたる。被施術者の希望や体質によって、適した強度は異なってくるので、施術ごとに施術量を取得することで、適切な施術量が獲得される。
【０２０２】
あるいは、ネイルサロンなどの施術における場合は、例えば、樹脂を硬化させるために用いられる紫外線照射装置を用いて施術を行う場合の、紫外線照射の強さや、温熱装置として用いる場合の温度設定ななどが、施術の質にあたる。被施術者の体質や、施術内容によって適した強度が異なってくるので、施術ごとに施術量を取得することで、適切な施術量が獲得される。
【０２０３】
あるいは、美容院や理髪店などの施術における場合は、例えば、加熱装置を用いてパーマをかけるなどの施術を行う場合、設定された温度の高低が施術の質にあたる。被施術者の髪質によって、適した温度は異なってくるので、施術ごとに施術量を取得することで、適切な施術量が獲得される。
【０２０４】
あるいは、スポーツジムなどにおいてトレーニング方法の指導に基づき各種トレーニング機材を用いて施術を受ける場合は、例えばランニングマシーンの設定速度や傾斜、筋肉トレーニング用の装置の荷重の程度といったものが、施術の質にあたる。被施術者の体格や筋肉量、体力によって、適した設定が異なってくるので、施術ごとに施術量を取得することで、適切な施術量が獲得される。
＜実施形態１６パターン１  施術履歴＞
【０２０５】
「施術履歴」は、ある歯に対して、過去にどのような治療をおこなっていたか、あるいは、現在施術の対象となっている症状に対して、これまでどのような施術を施してきたという、治療記録である。施術量項目の一種である。例えば、歯科におい定期的に行われるクリーニングや、定期検診といった施術の場合、一定の期間を守って施術を受けている場合には、歯は良い状態が保たれているので、施術対価に対して割引を行うということが考えられる。逆に、不定期であったり、本来の予定日を守らずに施術を受けに来たような場合には、状態の悪化を免れないので、施術対価に対して割り増しを行うということが考えられる。
【０２０６】
あるいは、エステなどの施術における場合は、例えば、当初考えられたエステプランに則して施術を受けている場合には、追加の施術を行う際にその追加内容の施術対価に割引を適用するということが考えらえる。あるいは、本来定期的に施術を受けるべきであるとされている施術について、その期間内に再施術を受けるような場合には、施術対価に割引を適用するということが考えられる。
【０２０７】
あるいは、ネイルサロンなどの施術における場合は、例えば、連続して同じ店で施術を受けている場合には、すでに加工されているものを除去するリペアの施術に要した施術量については施術対価としないということが考えられる。
【０２０８】
あるいは、美容院や理髪店などの施術における場合は、例えば、定期的に施術を受けている被施術者に対しては、施術対価に割引を適用するということが考えられる。
あるいは、スポーツジムなどにおいてトレーニング方法の指導に基づき各種トレーニング機材を用いて施術を受ける場合は、トレーニング計画に沿って施術を受けている場合には、新しく施術を追加する際に、施術量対価に割引を適用するということが考えられる。
＜実施形態１６パターン１  第一変換ルール保持部＞
【０２０９】
「第一変換ルール保持部」５３０２は、施術量を施術対価に変換するルールである第一変換ルールを保持する。すなわち、「第一変換ルール」は、施術量を施術対価に変換するためのルールである。図４に示す変換ルールの保険点数に変えて施術対価を算出する。保険点数は１点１０円で決められているので、保険点数に１０を掛けると施術対価が求められる。または、自由診療を想定しているので、図４とは異なる変換ルールを用いて施術対価を算出しても良い。例えば、施術量は施術時間や施術に要する資材の量などの施術量項目ごとに測定している対象が時間、重さ、長さ、と異なっている。施術対価への変換は、それらを単一の基準に置換、計算することである。そこで、第一変換ルールでは、施術量項目の種類に応じた条件式や計算式を有していることが想定されている。例えば、歯科の治療の場合、過酸化水素を利用するにあたって、過酸化水素２００ミリを１０００円と条件式を与えた場合に４００ミリの過酸化水素を利用したときの施術対価は、計算式によって２０００円と計算され、施術対価２０００円が取得される。
＜実施形態１６パターン１  第一施術対価取得部＞
【０２１０】
「第一施術対価取得部」５３０３は、施術量取得部５３０１によって取得された施術量と、第一変換ルール保持部５３０２が保持している第一変換ルールとに基づいて、施術対価を取得する。例えば、施術量が１０分と過酸化水素４００ミリで、第一変換ルールが施術量１分３００円、過酸化水素２００ミリで１０００円の場合、施術対価は時間に関して３０００円、過酸化水素に関して２０００円となる。したがって、施術対価５０００円が取得される。
＜実施形態１６パターン１  第一施術対価出力部＞
【０２１１】
「第一施術対価出力部」５３０４は、施術対価取得部５３０３が取得した施術対価を、施術対価計算装置の外に出力する。例えば、施術対価計算装置に接続されたディスプレイに出力することが考えられる。あるいは、施術対価計算装置に接続されたプリンタを通じて紙面に印刷することで出力することが考えられる。この他の出力方法でもよく、出力の方法は限定されない。
＜実施形態１６パターン１  作用：ハードウェアの構成（施術対価計算装置）＞
【０２１２】
図５４に示すように、施術対価計算装置のコンピュータの構成は、ＣＰＵ５４０１と、ＨＤＤ、ＲＯＭ等の不揮発性メモリ５４０２と、主メモリ５４０３と、インターフェイス５４０４とから構成されている。
不揮発性メモリ５４０２には、施術量取得部において施術量を取得するための施術量取得プログラム、施術量を施術対価に変換するための第一変換ルール保持部に第一変換ルールを保持させておくための第一変換ルール保持プログラム、第一施術対価取得部に、施術量と第一変換ルールに基づき、施術対価を取得させるための第一施術対価取得プログラム、取得した対価情報を出力するための第一施術対価出力プログラム、等のプログラムが格納されている。データとしては、施術量、施術終了情報、施術履歴、第一変換ルール、施術対価などがある。これらのプログラムやデータは、主メモリ５４０３の保持領域に読み込まれ、作業領域で実行される。また、インターフェイス５４０４には、通信インターフェイス（有線ＬＡＮ、インターネット、ブロードバンド等）５４０５、ディスプレイインターフェイス５４０６、プリンタインターフェイス５４０７、タッチ入力インターフェイス５４０８、施術に用いる外部装置のインターフェイス等の外部デバイスインターフェイス５４０９などがある。
＜実施形態１６パターン１  作用：処理の流れ＞
【０２１３】
図５５に示すように、まず施術量取得プログラムにより自由診療の対象となる医療行為に利用される施術装置の施術に利用する施術部を利用した施術の施術時間、施術に要する又は要した資材の量、施術の質、施術履歴のいずれか一以上である施術量を取得する施術量取得ステップを実行する（ステップ５５０１）。ここで、施術時間、施術に要する又は要した資材の量、施術の質、施術履歴については、上述したので、説明を省略する。
【０２１４】
次に施術量取得プログラムにより取得した施術量と、第一変換ルール保持部に保持されている第一変換ルールとに基づいて第一施術対価を取得する第一施術対取得ステップを実行する（ステップ５５０２）。ここで、施術量取得ステップ５５０１により、施術量の取得が行われると、次に、第一施術対価取得部に施術量の入力があるかを確認し、施術量の入力が確認されると、第一変換ルールに基づく施術対価の算出を行う。算出が済むと、施術対価が取得される。
次に第一施術対価出力プログラムにより取得した施術対価を出力する第一施術対価出力ステップを実行する（ステップ５５０３）。以上の処理を施術が終了するまで（ステップ５５０４）行う。
【０２１５】
このように、実施形態１６のパターン１によれば、施術内容に応じた適切な施術対価の計算が可能な施術量従量制施術対価計算システムを実現できる。
＜実施形態１６パターン２＞
＜概要＞
【０２１６】
本実施形態１６パターン２の発明は、施術種及び施術量という施術の具体的な内容に応じて施術対価を計算できる、施術量従量制施術対価計算システムである。
＜実施形態１６パターン２  構成＞
【０２１７】
図５６に示すように、実施形態１６パターン２の施術量従量制施術対価計算システムは、施術種取得部５６０１と、施術量取得部５６０２と、第二変換ルール保持部５６０３と、第二施術対価取得部５６０４と、第二施術対価出力部５６０５とを有する施術対価計算装置５６００を有するシステムである。以下では、実施形態１６パターン１と共通の構成は説明を省略し、本実施形態に特徴的な構成について説明する。
＜実施形態１６パターン２  構成の説明＞
＜実施形態１６パターン２  施術種取得部＞
【０２１８】
「施術種取得部」５６０１は、施術種を取得する。例えば、施術種の取得によって、なんの施術種に対してどのような施術量を取得したかを分離して把握することができる。そこで、自由診療の部分についてのみ、分離して施術対価を獲得することも可能である。「施術種」は、施術の種類であり、施術量項目とは別のものである。例えば、歯科治療においては、初期う蝕の治療や、歯周疾患の治療といったものが施術種にあたる。内科治療においては、偏頭痛や逆流性食道炎といったものが施術種にあたる。
【０２１９】
あるいは、エステなどの施術における場合は、例えば、脂肪の燃焼効果を目的とした施術であるか、肌の手入れを目的とした施術であるか、といったものが施術種にあたる。あるいは、ネイルサロンなどの施術における場合は、例えば、施術前に施されていた加工を除去するリペアを目的とした施術であるか、爪に加工を施すことを目的とした施術であるか、爪の保湿等の手入れを目的とした施術であるか、といったものが施術種にあたる。あるいは、美容院や理髪店などの施術における場合は、例えば、パーマを目的とした施術であるか、カラーリングを目的とした施術であるか、といったものが施術種にあたる。あるいは、スポーツジムなどにおいてトレーニング方法の指導に基づき各種トレーニング機材を用いて施術を受ける場合は、例えば、ランニングマシーンを用いる施術か、エアロバイク（登録商標）を用いた施術か、といったものや、筋肉トレーニングにおいてどの部位の筋肉を強化することを目的とした施術であるか、といったものが施術種にあたる。
＜実施形態１６パターン２  第二変換ルール保持部＞
【０２２０】
「第二変換ルール保持部」５６０３は、施術種及び施術量を施術対価に変換するルールである第二変換ルールを保持する。「第二変換ルール」は、施術量及び施術種の両方を用いて、施術対価を算出するための条件式及び計算式である。図２１に示す変換ルールの保険点数に変えて施術対価を算出する。保険点数は１点１０円と決められているので、保険点数に１０を掛けると施術対価が求められる。または、自由診療を想定しているので、図２１とは異なる変換ルールを用いて施術対価を算出しても良い。例えば、歯科治療について、初期う蝕の場合の施術時間を施術項目とした施術量は、１分ごとに２００円、歯周疾患の場合の施術時間を施術項目とした施術量は、１分毎に５００円というように、施術種に応じて単位時間あたりに異なる点数を条件として与えることが考えられる。この場合、いずれについても３分間の施術を行えば、初期う蝕については２００円×３分＝６００円、歯周疾患については５００円×３分＝１５００円となる。
＜実施形態１６パターン２  第二施術対価取得部＞
【０２２１】
「第二施術対価取得部」５６０４は、施術種及び施術量の両方を用いて、第二変換ルールに基づき施術対価を取得する。たとえば、歯科治療において、初期う蝕について施術時間１０分の施術量を、歯周疾患の治療について施術時間１０分の施術量を取得した場合、初期う蝕は１分ごとに２００円の施術対価で２０００円、歯周疾患は１分ごとに５００円の施術対価で５０００円、となるので、合計の施術対価は７０００円となる。
＜実施形態１６パターン２  第二施術対価出力部＞
【０２２２】
「第二施術対価出力部」５６０５は、第二施術対価取得部５６０４が取得した施術対価を、施術対価計算装置の外部に出力する。出力の方法は、ディスプレイに表示する方法や、プリンタを利用して印刷する方法などが考えられるが、方法は限定されない。
＜実施形態１６パターン２  作用：ハードウェアの構成（施術対価計算装置）＞
【０２２３】
図５７に示すように、施術対価計算装置のコンピュータの構成は、ＣＰＵ５７０１と、ＨＤＤ、ＲＯＭ等の不揮発性メモリ５７０２と、主メモリ５７０３と、インターフェイス５７０４とから構成されている。
不揮発性メモリ５７０２には、施術種を取得するための施術種取得プログラムと、施術量取得プログラムと、第二変換ルール保持部５７０３に第二変換ルールを保持させておく第二変換ルール保持プログラムと、第二施術対価取得部が、施術種及び施術量から第二変換ルールに基づき第二施術対価を取得するための第二施術対価取得プログラムと、取得した第二施術対価を施術装置外部に出力するための第二施術対価出力プログラム、等のプログラムが格納されている。データとしては、施術種、施術量、施術終了情報、施術履歴、第二変換ルール、施術対価などがある。これらのプログラムやデータは、主メモリ５７０３の保持領域に読み込まれ、作業領域で実行される。また、インターフェイス５７０４には、通信インターフェイス（有線ＬＡＮ、インターネット、ブロードバンド等）５７０５、ディスプレイインターフェイス５７０６、プリンタインターフェイス５７０７、タッチ入力インターフェイス５７０８、施術に用いる外部装置のインターフェイス等の外部デバイスインターフェイス５７０９などがある。
＜実施形態１６パターン２  作用：処理の流れ＞
【０２２４】
図５８に示すように、施術種取得プログラムにより施術種を取得する施術種取得ステップを実行する（ステップ５８０１）。次に、施術量取得プログラムにより自由診療の対象となる医療行為に利用される施術装置の施術に利用する施術部を利用した施術の施術時間、施術に要する又は要した資材の量、施術の質、施術履歴のいずれか一以上である施術量を取得する施術量取得ステップを実行する（ステップ５８０２）。ここで、施術時間、施術に要する又は要した資材の量、施術の質、施術履歴については、上述したので、説明を省略する。
【０２２５】
次に施術種取得プログラムにより取得した施術種及び第二施術対価取得プログラムにより取得した施術量と、保持されている第二変換ルールとに基づいて第二施術対価を取得する施術対価取得ステップを実行する（ステップ５８０３）。ここで、施術量取得ステップ５８０２により、施術量の取得が行われると、次に、第二施術対価取得部に施術量の入力があるかを確認し、施術量の入力が確認されると、第二変換ルールに基づく施術対価の算出を行う。算出が済むと、施術対価が取得される。
次に第二施術対価出力プログラムにより取得した施術対価を出力する第二施術対価出力ステップを実行する（ステップ５８０４）。
以上の処理を施術が終了するまで（ステップ５８０５）、繰り返す。
【０２２６】
このように、実施形態１６パターン２によれば、パターン１の実施形態１６に加え、施術種及び施術量の入力受けて、施術内容に応じた適切な施術対価の計算が可能な施術量従量制施術対価計算システムを実現できる。
＜実施形態１７＞
＜概要＞
【０２２７】
本実施形態１７の発明は、実施形態１から実施形態１５のいずれか一に記載の特徴に加え、被施術者ごとの施術量という施術の具体的な内容に応じて保険点数を計算できる、施術量従量制保険点数計算システムである。
＜実施形態１７  構成＞
【０２２８】
図４６に示すように、実施形態１７の施術量従量制保険点数計算システムは、施術量取得部４６０３と、受信部４６０４と、第一変換ルール保持部４６０５と、第一保険点数取得部４６０６と、第一保険点数出力部４６０７とを有する保険点数計算装置４６００を有し、被施術者識別情報取得部４６０１と、施術量送信部４６０２とをさらに有する。以下では、実施形態１から実施形態１５のいずれか一と共通の構成は説明を省略し、本実施形態１７に特徴的な構成について説明する。
＜実施形態１７  構成の説明＞
＜実施形態１７  被施術者識別情報取得部＞
【０２２９】
「被施術者識別情報取得部」４６０１は、被施術者を識別する被施術者識別情報を取得する。「被施術者識別情報」とは、被施術者を特定するための情報である。たとえば、保険証番号や診察券の番号、マイナンバー（個人番号）、氏名、生年月日、住所などの一以上から選択することが考えられる。この他に、被施術者と施術履歴の同一性を確実に判断できる情報であれば、なんでも構わない。被施術者識別情報の取得方法は、施術装置に施術者又は施術補助者が直接入力する方法、あるいは、施術装置に繋がれた機器から情報を取得する方法が考えられる。施術装置に繋がれた機器が被施術者識別情報を取得する方法としては、施術者又は施術補助者が入力する方法、あるいは被施術者自身が直接入力する方法などが考えられる。被施術者自身が入力する方法としては、たとえば診察の受付時にカードリーダー等にカードを通す行為や、診察開始前に診察時に着座する場所から装置に入力する方法などが考えられる。この他の方法でもかまわない。被施術者識別情報の取得は、施術の前でも施術の最中でも、施術の後でも、いつの時点で行われても構わない。また、仮に本実施形態に示した順番と異なった順序で被施術者識別情報と施術部位情報と施術内容情報を取得したとしても構わないし、同時に取得されても構わない。
【０２３０】
被施術者の施術履歴は、空白のものであってもよい。すなわち、初診の患者さんのように、過去にその病院や診療所等で診察等を受けたことが全くない人物である場合には、施術履歴は存在しないので、空白の施術履歴が被施術者の施術履歴として取得されることになる。空白の施術履歴の取得を認めたとしても、後続の手順によって、今回の施術部位と一致する施術履歴や今回の施術内容と一致する施術履歴がみつからないので、新規の施術履歴の保存の段階において、必要な情報の保存が可能である。
＜実施形態１７  施術量送信部＞
【０２３１】
「施術量送信部」４６０２は、前記被施術者に施術した施術量を被施術者識別情報と関連付けて送信する。
＜実施形態１７  作用：ハードウェア構成（施術対価計算装置）＞
【０２３２】
図４７に示すように、施術対価計算装置のコンピュータの構成は、ＣＰＵ４７０１と、ＨＤＤ、ＲＯＭ等の不揮発性メモリ４７０２と、主メモリ４７０３と、インターフェイス４７０４とから構成されている。
不揮発性メモリ４７０２には、被施術者識別情報取得プログラムと、施術量取得プログラムと、施術量送信プログラムと、受信プログラムと、第一変換ルール保持プログラムと、第一保険点数取得プログラムと、第一保険点数出力プログラム、等のプログラムが格納されている。データとしては、被施術者識別情報、施術量、施術終了情報、施術履歴、第一変換ルール、保険点数などがある。これらのプログラムやデータは、主メモリ４７０３の保持領域に読み込まれ、作業領域で実行される。また、インターフェイス４７０４には、通信インターフェイス（有線ＬＡＮ、インターネット、ブロードバンド等）４７０５、ディスプレイインターフェイス４７０６、プリンタインターフェイス４７０７、タッチ入力インターフェイス４７０８、施術に用いる外部装置のインターフェイス等の外部デバイスインターフェイス４７０９などがある。
＜実施形態１７  作用：処理の流れ＞
【０２３３】
図４８に示すように、まず被施術者識別情報取得プログラムにより被施術者を識別する被施術者識別情報を取得する被施術者識別情報取得ステップを実行する（ステップ４８０１）次に施術量送信プログラムにより前記被施術者に施術した施術量を被施術者識別情報と関連付けて送信する施術量送信ステップを実行する（ステップ４８０２）。ここで、施術量送信ステップ４８０２において、被施術者に施術した施術量と被施術者識別情報とを関連付けて外部に送信したり、システム内の受信部に送信する。また、直接に施術量取得部４６０３に送信しても良い。
【０２３４】
次に受信プログラムにより被施術者識別情報と関連付けられた施術量を受信する受信ステップを実行する（ステップ４８０３）。
次に施術量取得プログラムにより被施術者に施術した施術量と被施術者識別情報とが関連付けられた施術量を取得するステップを実行する（ステップ４８０４）。ここで、施術量送信部４６０２または受信部４６０４から取得する。
【０２３５】
次に施術量取得プログラムにより取得した施術量と、第一変換ルール保持部に保持されている第一変換ルールとに基づいて第一保険点数を取得する第一保険点数取得ステップを実行する（ステップ４８０５）。ここで、施術量取得ステップ４８０４により、施術量の取得が行われると、次に、第一保険点数取得部４６０６に施術量の入力があるかを確認し、施術量の入力が確認されると、第一変換ルールに基づく保険点数の算出を行う。算出が済むと、保険点数が取得される。
次に第一保険点数出力プログラムにより取得した保険点数を出力する第一保険点数出力ステップを実行する（ステップ４８０６）。
【０２３６】
このように、実施形態１７によれば、被施術者ごとの施術量という施術内容に応じた適切な保険点数の計算が可能な施術量従量制保険点数計算システムを実現できる。
＜実施形態１８＞
＜概要＞
【０２３７】
本実施形態１８の発明は、実施形態１７の施術量従量制保険点数計算システムと、統計処理装置とからなる情報処理システムである。
＜実施形態１８  構成＞
【０２３８】
図４９に示すように、実施形態１８の情報処理システムは、施術量受信部４９２１と、施術経過取得部４９２２と、施術量改善効果算出ルール保持部４９２３と、施術量改善効果算出ルール更新部４９２４と、施術後経過症状算出部４９２５と、閲覧部４９２６とを有する統計処理装置４９２０と、被施術者識別情報取得部４９１１と、施術量送信部４９１２と、施術量取得部４９１３と、受信部４９１４と、第一変換ルール保持部４９１５と、第一保険点数取得部４９１６と、第一保険点数出力部４９１７とを有する保険点数計算装置４９１０と施術装置４９３０を有する施術量従量制保険点数計算システムと、からなる情報処理システムである。この情報処理システムにおいて、保険点数装置等と統計処理装置との関係の概略ブロックを図６３に示す。情報処理システム６３００は、保険点数計算装置６３０２と施術装置６３０３を含む施術量従量制保険点数計算システム６３０１と、統計処理装置６３０４とから構成されている。
以下では、実施形態１７と共通の構成は説明を省略し、本実施形態１８に特徴的な構成について説明する。
＜実施形態１８  構成の説明（統計処理装置）＞
＜実施形態１８  施術量受信部＞
【０２３９】
「施術量受信部」４９２１は、施術量送信部４９１２から送信された施術量とそれに関連付けられている被施術者識別情報を受信する。ここで、被施術者ごとの施術量を受信できるので、施術内容に応じた処理が行えるようになる。
＜実施形態１８  施術経過取得部＞
【０２４０】
「施術経過取得部」４９２２は、施術量受信部４９２１により受信した被施術者識別情報と施術量に関連付けて施術前経過症状と、施術後経過症状とを取得する。
【０２４１】
例えば、後述する図６０に示すように、１回目の施術のときは中等度歯周疾患と診察された結果が施術前経過症状である。１回目の施術を受けて軽度歯周疾患と診察された結果が施術後経過情報である。これらの施術前経過症状及び施術後経過症状は、施術装置としての歯周病治療装置から受けることができる。ここで、施術前経過症状は１週間前の経過症状であり、施術後経過情報は１週間後の経過症状である。また、施術前経過症状、施術前経過情報は電子カルテからの自動入力や歯科医師の手入力により入力するように構成しても良い。また施術装置としての歯周病治療装置には、口腔内を撮影するカメラが備えられており、そのカメラを通じて取得した患者の口腔内の映像に基づいて経過情報を算出するように構成してもよい。この映像に基づく経過情報の算出にも人工知能を利用することができる。つまり、画像認識技術と人工知能技術を利用するものである。さらにカメラ以外に口腔内から口腔内ガスを取得するように構成してもよい。口腔内ガスをガス分析装置にかけて口腔内の経過情報を算出するように構成してもよい。ガス分析による口腔内経過情報の算出にも同様に人工知能を利用することができる。さらには口腔内の唾液等を採取して、唾液等に含有されている成分を分析して経過症状を算出するように構成してもよい。この分析と算出にも人工知能を利用することができる。
＜実施形態１８  施術量改善効果算出ルール保持部＞
【０２４２】
「施術量改善効果算出ルール保持部」４９２３は、受信した施術者識別情報と施術量とこれに関連付けて取得された施術前経過症状を用いて施術後経過症状を算出するための所定のルールである施術量改善効果算出ルールを保持する。
【０２４３】
図６０に示すように、被施術者の施術経過情報から施術量改善効果算出ルールが作成される。被施術者が歯科医院に歯周疾患（歯周病）で通院し、診療を４回受けて歯周疾患が完治（治癒）した例で説明する。ここで、施術前経過症状及び施術後経過症状の括弧内の数字は経過症状のレベルを示しており、０が完治（治癒）状態、５が重度歯周疾患を示す。
また、４が中等度歯周疾患、３が軽度歯周疾患、２、１が微小歯周疾患（２は１より少し良くない）。施術前経過症状及び施術後経過症状は、上述した施術の質に相当する。
【０２４４】
まず、第１回目の診療日には、施術量として、施術時間：１０分、資材量：過酸化水素水２０ｃｃ、施術前経過症状：中等度歯周疾患（レベル４）、施術後経過症状：軽度歯周疾患（レベル３）、施術履歴：１であった。２回目の診療日には、施術量として、施術時間：７分、資材量：過酸化水素水１５ｃｃ、施術前経過症状：軽度歯周疾患（レベル３）、施術後経過症状：微小歯周疾患（レベル２）、施術履歴：２であった。３回目の診療日には、施術量として、施術時間：３分、資材量：過酸化水素水１０ｃｃ、施術前経過症状：微小歯周疾患（レベル２）、施術後経過症状：微小歯周疾患（レベル１）、施術履歴：３であった。４回目の診療日には、施術量として、施術時間：０分、資材量：過酸化水素水０ｃｃ、施術前経過症状：微小歯周疾患（レベル１）、施術後経過症状：完治（治癒）、施術履歴：４であった。この例では、４回の診療を受けて歯周疾患が治癒した。この施術時間と施術後経過症状との関係を図６１に示す。このようなデータを複数の被施術者から収集し、図６２に示すように、例えば平均２０分の施術時間で歯周病治療の治療効果が得られるとして、施術量改善効果算出ルールとして保持される。
【０２４５】
ここで、他の施術量改善効果算出ルールとしては、被施術者識別情報を利用しているので、被施術者ごとの施術量を用いた統計処理に利用できる。施術経過取得部で取得する施術量の中には施術の結果、被施術者の状態がどのように変化してきたかを示す情報（施術経過症状）が含まれている。そこでこのような情報を同一の症状又は同一の施術ごとに多数収集し、原因と結果の関係を推定するルールを策定する。例えば過酸化水素水３％・毎日１０分・紫外線照射１０mwの処方によって重度５（最も重篤）の被施術者は３５日目に重度１（最も軽度）の症状に改善するというようなルールを策定する。例えば重度５の被施術者１０００人を対象とした同一施術の施術量の情報に基づいて、１％有意水準でルールが成り立つ、というような処理を実行する。また施術量の情報の中には施術履歴として施術の結果を示す情報、すなわち、症状の改善に関する情報が含まれている場合がある。例えば診察結果として疾病が完治したなどの情報である。この場合には施術の質のような情報から疾病からの回復度合いを推定することなく直接的に施術量と症状の改善の関係を取得できる。この場合も先述のものと同様に疾病からの回復度合いと疾病に対して施した施術の質や量との関係を統計処理して両者の因果関係を推定するルールを策定することができる。なお、被施術者識別情報と関連付けられている被施術者の属性情報を合わせて利用することでより正確なルールを算出することも可能である。同じ施術であっても被施術者の属性によって治療効果に差が出る場合があるからである。被施術者の属性情報としては、性別、年齢、居住地、家族構成、職業、日常のストレスの度合い、血縁関係者の疾病履歴、ＤＮＡ情報、食生活、他に併発している疾病の種類、血液型、生活習慣病関連の数値などである。
【０２４６】
基本的な施術量改善効果算出ルールとしては施術の質や量などが数値化できるものは、その数値と症状の改善度合いなどを数値化したものとの相関を取得する処理をする。一軸に施術の質や量などの数値と、他の一軸に症状の改善度合いの数値とを配し、各症例をこの平面上にプロットして、最もそれらの因果関係として見合うものを見つけ出すことを行う。両者に比例間関係がある十分な理由がある場合には最小二乗法などを用いて直線近似してもよいし、両者に二次関数的あるいは三次関数以上の相関があると考えられる十分な理由がある場合には二次関数、三次関数以上を用いて近似することもできる。さらに、あらかじめ準備されている関数で近似できないが両者に関数関係があるとみられる場合にはスプライン曲線などを用いて相関関係を導き出してもよい。なお、スプライン関数は一例であって、他の近似関数を利用してもよい。
＜実施形態１８  施術量改善効果算出ルール更新部＞
【０２４７】
「施術量改善効果算出ルール更新部」４９２４は、受信した施術量と、取得した施術前経過症状と、取得した施術後経過症状と、を用いて保持されている施術量改善効果算出ルールを更新する。実際に施術した結果を取得し、取得した施術前経過症状と、取得した施術後経過症状とから変更があれば、施術量改善効果算出ルールを更新し施術量改善効果算出ルール保持部４９２３には常に最新の施術量改善効果算出ルールを保持するようにする。
＜実施形態１８  施術後経過症状算出部＞
【０２４８】
「施術後経過症状算出部」４９２５は、保持されている最新の施術量改善効果算出ルールと、取得した施術前経過症状と、施術量とを用いて予想される施術後経過症状を算出する。ある被施術者が歯周疾患の施術を受けて施術前経過症状から予想される施術後経過症状を算出することができる。
＜実施形態１８  閲覧部＞
【０２４９】
「閲覧部」４９２６は、施術後経過症状算出部４９２５による施術後経過症状算出結果を外部端末から閲覧させる。ここで、歯科医院や保険医療機関の端末から閲覧する場合は、個人を特定できる形式で閲覧しても良いが、研究用データや一般の人が閲覧する場合は個人情報保護の観点から、個人情報を削除した形式で提供することが望まれる。
【０２５０】
図示しない蓄積部を設け、その蓄積部では施術後経過症状算出結果がディスクインターフェイスを介して接続されたハードディスクやデータラック、データセンターなどに蓄積されるように構成しても良い。または、セキュリティを考慮してそれぞれのデータは暗号化して、別々のディスクや記憶媒体に分散配置しても良い。
【０２５１】
施術量従量制保険点数計算システムのハードウェア構成は実施形態１７と同様であるので、説明を省略する。以下では、実施形態１８に特徴的な統計処理装置の構成について説明する。
＜実施形態１８  作用：ハードウェアの構成（統計処理装置）＞
【０２５２】
図５０に示すように、統計処理装置のコンピュータの構成は、ＣＰＵ５００１と、ＨＤＤ、ＲＯＭ等の不揮発性メモリ５００２と、主メモリ５００３と、インターフェイス５００４とから構成されている。不揮発性メモリ５００２には、施術量受信プログラムと、施術経過取得プログラムと、施術量改善効果算出ルール保持プログラムと、施術量改善効果算出ルール更新プログラムと、施術後経過症状算出プログラム、閲覧プログラム等のプログラムが格納されている。データとしては、被施術者識別情報、施術量、施術終了情報、施術前経過症状、施術後経過症状、施術量改善効果算出ルールなどがある。これらのプログラムやデータは、主メモリ５００３の保持領域に読み込まれ、作業領域で実行される。また、インターフェイス５００４には、通信インターフェイス（有線ＬＡＮ、インターネット、ブロードバンド等）５００５、ディスプレイインターフェイス５００６、ディスクインターフェイス５００７などがある。
【０２５３】
図５１左図の施術量従量制保険点数計算システムの処理の流れは、実施形態１７と同様であるので、説明を省略する。以下では、統計処理装置の処理の流れについて説明する。
＜実施形態１８  作用：処理の流れ＞
【０２５４】
図５１右図に示すように、施術量受信プログラムにより施術量を受信する施術量受信ステップを実行する（ステップ５１１０）。次に、施術量改善効果算出ルール更新プログラムにより取得した施術前経過症状と施術後経過症状とを用いて最新の施術量改善効果算出ルールに更新する施術量改善効果算出ルール更新ステップを実行する（ステップ５１１１）。ここで、図６１、図６２に示すように、被施術者の施術前経過症状や施術後経過症状を用いて常に最新の施術量改善効果算出ルールに更新するように構成している。
【０２５５】
次に施術後経過症状算出プログラムにより保持されている最新の施術量改善効果算出ルールと、取得した施術前経過症状と、施術量とを用いて予想される施術後経過症状を算出する施術後経過症状算出ステップを実行する（ステップ５１１２）。
次に閲覧プログラムにより、施術後経過症状算出結果を外部端末から閲覧させる閲覧ステップを実行する（ステップ５１１３）。
以上の処理を施術が終了するまで（ステップ５１１４）、繰り返す。
【０２５６】
このように、実施形態１８によれば、実施形態１７に加え、施術前経過症状から施術後経過症状を予測して算出することができる。
＜実施形態１９＞
＜概要＞
【０２５７】
本実施形態１９の発明は、実施形態１８の情報処理システムにおいて、前記所定の施術量改善効果算出ルール及び施術量改善効果算出ルール更新部が人工知能を構成している情報処理システムである。
＜実施形態１９  構成＞
【０２５８】
図４９に示すように、実施形態１９の情報システムは、実施形態１８の情報処理システムの構成と同様であり、前記所定の施術量改善効果算出ルール及び施術量改善効果算出ルール更新部４９２４が人工知能を構成している点が異なっている。以下では、実施形態１８と共通の構成は説明を省略し、本実施形態１９に特徴的な構成について説明する。
＜実施形態１９  構成の説明＞
【０２５９】
図５９に示すように、実施形態１９における所定の施術量改善効果算出ルールに人工知能を用いた例を示す。例えば、情報ａ１、ａ２、ａ３と、情報ａ１、ａ２、・・・に関係する情報ｂ１、ｂ２・・・を人工知能中に「ａ−ｂルール」として保持する。これは施術量改善効果算出ルール保持部４９２３に保持しておく。人工知能「ａ−ｂルール」に対して情報ａｘを与えると、情報ｂｘというような学習結果が得られる。具体的な情報がａ１、ａ２・・・が被施術者の施術前症状とそれに対する施術量で、ｂ１、ｂ２・・・が被施術者の施術後症状であるような場合、これらの施術前症状・施術量と被施術者の施術後症状、すなわち施術結果が関連付けられてデータベースに蓄積されている。施術量改善効果算出ルール更新部４９２４を人工知能で構成し、その人工知能により、これらのデータから施術前症状に対してどのような施術量を施せば、どのような施術結果が得られるかのルールを常時更新してより確実な予測を行うように作動する。現在の症状を入力すると、人工知能を用いてどのような施術量を施せばその症状が改善するかという回答を得られる。
【０２６０】
特に現在の症状が数値データ化しにくい場合には人工知能を用いた処理が有効である。数値データ化しにくい場合の代表例は症状が画像で示される場合である。例えば、歯周病の歯の部分の拡大写真や、歯のレントゲン写真、ＣＴスキャン画像などである。
【０２６１】
このアイデアは、病気の判別でなく、病気が特定されている場合に、どのような治療、すなわち、どのような施術量を与えれば最も早くその病気から回復できるのかを予測することができ、従来になかったものである。さらに回復のための施術量を予測できるので、どれくらい将来の治療費が発生するかを予想することもできる。
＜実施形態２０＞
＜概要＞
【０２６２】
本実施形態２０の発明は、実施形態１８または実施形態１９の情報処理システムに加えて、施術装置がインターネット通信機能（ＩｏＴ通信機能）を有する情報処理システムである。
＜実施形態２０  構成とその説明＞
【０２６３】
図４９に示すように、本実施形態２０の情報処理システムは、実施形態１８または実施形態１９の構成と同様であり、図１に示すような施術装置がインターネット通信機能を有しており、施術装置がインターネットに接続されたシステムを構成している。このシステムの各装置間の関係を図６３に示す。
【０２６４】
そして、施術装置６３０３と情報処理システム６３００とは双方向のデータ通信が可能となり、情報処理システム６３００は施術装置から被施術者毎の施術量、施術前経過症状、施術後経過症状等を直接取得し、図示しない電子レセプトコンピュータと連動して保険請求の診療報酬明細書の作成を自動的に行ったり、図示しない病院内に設置されたサーバに施術の治療経緯のデータを保存させたりすることができる。複数の病院を集中監視しているようなケースでは、遠隔のコンピュータと施術装置６３０３がインターネット接続されて、所望のデータを収集することができる。さらに、施術装置６３０３がインターネット通信機能を有しているので、図示しない遠隔のコンピュータから監視を行い、施術装置６３０３の状態監視を行い、修理や、故障検出などのサービスを提供することができる。
【０２６５】
施術装置６３０３が図示しない歯周病治療器の場合は、図示しないインターネット接続された遠隔のコンピュータから治療時間（レーザ照射時間）の監視や、消耗品（過酸化水素水等）の残量監視、保険請求収載用情報の取得に利用することができる。また、個人データの情報の流出が問題となるようなケースでは、双方向のデータ通信に制限をかけて、歯周病治療器からの一方向の通信だけにし、装置のメンテナンスのみを双方向通信するような構成にしてもよい。
【０２６６】
上述したシステム構成では、施術装置６３０３がインターネット通信機能（ＩｏＴ通信機能）を有する情報処理システム６３００の例を示したが、個人データの保護の観点から、施術装置に近距離無線通信用のインターフェイスを備え、図示しないデータ連携装置（データ中継装置）を介して病院内のサーバや電子レセプトコンピュータとのデータ転送を行うような構成にしてもよい。近距離無線通信用のインターフェイスとしては、例えば、Ｗｉ−Ｆｉ（登録商標）、Bluetooth（登録商標）、ZigBee（登録商標）等が利用でき、低消費電力の通信を可能としている。
【０２６７】
このように、本実施形態２０によれば、実施形態１８又は実施形態１９に加え、施術装置がインターネット通信機能（ＩｏＴ通信機能）を有するので、保険請求における電子レセプトコンピュータとの連動に利用したり、施術装置のオンラインメンテナンス、施術装置の状態監視などができる情報処理システムを実現できる。
【０２６８】
このように、本実施形態の施術量従量制保険点数計算システム、又は、施術量従量制保険点数計算方法によれば、施術内容に応じた適切な保険点数の計算ができる。
【符号の説明】
【０２６９】
０１０１  歯科医師
０１０２  患者
０１０３  施術装置
０１０４  タッチ入力ディスプレイ
０１０５  ディスプレイ
０１０６  ＬＥＤ無影灯
０１０７  施術装置制御部
０１０８、０１０９  支持アーム
０１１０  切削ドリル
０１１１  口腔内バキューム
０１１２  施術台テーブル
０２００  施術量従量制保険点数計算システム
０２０１  施術量取得部
０２０２  第一変換ルール保持部
０２０３  第一保険点数取得部
０２０４  第一保険点数出力部
０６０１  ＣＰＵ
０６０２  不揮発性メモリ
０６０３  主メモリ
０６０４  インターフェイス
０６０５  通信インターフェイス
０６０６  ディスプレイインターフェイス
０６０７  プリンタインターフェイス
０６０８  タッチ入力インターフェイス
０６０９  外部デバイスインターフェイス
０７０１  施術量取得ステップ
０７０２  第一保険点数取得ステップ
０７０３  第一保険点数出力ステップ
【図１】
2019144635.tif 000003
【図２】
2019144635.tif 000004
【図３】
2019144635.tif 000005
【図４】
2019144635.tif 000006
【図５】
2019144635.tif 000007
【図６】
2019144635.tif 000008
【図７】
2019144635.tif 000009
【図８】
2019144635.tif 000010
【図９】
2019144635.tif 000011
【図１０】
2019144635.tif 000012
【図１１】
2019144635.tif 000013
【図１２】
2019144635.tif 000014
【図１３】
2019144635.tif 000015
【図１４】
2019144635.tif 000016
【図１５】
2019144635.tif 000017
【図１６】
2019144635.tif 000018
【図１７】
2019144635.tif 000019
【図１８】
2019144635.tif 000020
【図１９】
2019144635.tif 000021
【図２０】
2019144635.tif 000022
【図２１】
2019144635.tif 000023
【図２２】
2019144635.tif 000024
【図２３】
2019144635.tif 000025
【図２４】
2019144635.tif 000026
【図２５】
2019144635.tif 000027
【図２６】
2019144635.tif 000028
【図２７】
2019144635.tif 000029
【図２８】
2019144635.tif 000030
【図２９】
2019144635.tif 000031
【図３０】
2019144635.tif 000032
【図３１】
2019144635.tif 000033
【図３２】
2019144635.tif 000034
【図３３】
2019144635.tif 000035
【図３４】
2019144635.tif 000036
【図３５】
2019144635.tif 000037
【図３６】
2019144635.tif 000038
【図３７】
2019144635.tif 000039
【図３８】
2019144635.tif 000040
【図３９】
2019144635.tif 000041
【図４０】
2019144635.tif 000042
【図４１】
2019144635.tif 000043
【図４２】
2019144635.tif 000044
【図４３】
2019144635.tif 000045
【図４４】
2019144635.tif 000046
【図４５】
2019144635.tif 000047
【図４６】
2019144635.tif 000048
【図４７】
2019144635.tif 000049
【図４８】
2019144635.tif 000050
【図４９】
2019144635.tif 000051
【図５０】
2019144635.tif 000052
【図５１】
2019144635.tif 000053
【図５２】
2019144635.tif 000054
【図５３】
2019144635.tif 000055
【図５４】
2019144635.tif 000056
【図５５】
2019144635.tif 000057
【図５６】
2019144635.tif 000058
【図５７】
2019144635.tif 000059
【図５８】
2019144635.tif 000060
【図５９】
2019144635.tif 000061
【図６０】
2019144635.tif 000062
【図６１】
2019144635.tif 000063
【図６２】
2019144635.tif 000064
【図６３】
2019144635.tif 000065